(57)【特許請求の範囲】
【請求項１】
施設又は設備群の状態を監視する監視盤をディスプレイに画像として表示する監視盤表示装置であって、表示される監視盤画像は、施設又は設備群の構成を模式的に表す背景画像と、前記施設又は設備群の状態を表す表示器画像とを含み、前記監視盤表示装置は、
（ＡＡ）背景画像を構成する１又は複数個の細分背景画像を記憶する背景画像記憶装置、
（ＡＢ）表示器画像を記憶する表示器画像記憶装置、
（ＡＣ）前記施設又は設備群の状態を示す情報データを受信する受信手段、
（ＡＤ）前記背景画像記憶装置に記憶されている細分背景画像、前記表示器画像記憶装置に記憶されている表示器画像、前記受信手段が受信した前記情報データ、及び、監視盤上の指定されたエリアについての監視盤上での位置、表示ウィンドウの大きさ、及び拡大率に関する情報に基づいて、対応する細分背景画像及び表示器画像についての三次元モデルの生成とテクスチャマッピング及びレンダリングを行い、指定された前記エリアに対応した監視盤の二次元画像データを生成する二次元画像データ生成手段、
（ＡＥ）監視盤上に設定されるｎ個（但し、ｎは２以上の整数）の表示エリア１〜ｎのそれぞれについて、その監視盤上での位置、表示ウィンドウの大きさ、及び拡大率に関する情報を含む表示エリア管理情報を記憶する表示エリア管理情報記憶装置、
（ＡＦ）前記表示エリア１〜ｎの中から１つの表示エリアを選択する表示エリア選択入力を受け付ける表示エリア選択入力受付手段、及び、
（ＡＧ）前記二次元画像データ生成手段が生成した二次元画像データであって、前記表示エリア選択入力受付手段が受け付けた最新の表示エリア選択入力によって選択された表示エリアに対応する二次元画像データを前記ディスプレイに出力する手段、
を有しており、さらに下記手段（ＡＪ）〜（ＡＬ）及び／又は下記手段（ＡＯ）〜（ＡＲ）を有している監視盤表示装置、
（ＡＪ）エリア表示モード選択入力を受け付けるエリア表示モード選択入力受付手段、及び、エリア位置イメージ表示モード選択入力を受け付けるエリア位置イメージ表示モード選択入力受付手段、
（ＡＫ）前記二次元画像データ生成手段が生成した二次元画像データであって、監視盤の全エリアに対応する二次元画像データに、前記表示エリア管理情報記憶装置に記憶されている表示エリア管理情報に基づいて、前記表示エリア１〜ｎのそれぞれに相当するエリア枠を表示する画像データを重畳させ、エリア位置イメージ画像データを生成するエリア位置イメージ画像データ生成手段、
（ＡＬ）前記エリア位置イメージ表示モード選択入力受付手段が、前記エリア位置イメージ表示モード選択入力を受け付けたとき、前記エリア位置イメージ画像データ生成手段が生成した前記エリア位置イメージ画像データを前記ディスプレイに出力し、前記エリア表示モード選択入力受付手段が、前記エリア表示モード選択入力を受け付けたとき、前記二次元画像データ生成手段が生成した二次元画像データであって、前記表示エリア選択入力受付手段が受け付けた最新の表示エリア選択入力によって選択された表示エリアに対応する二次元画像データを前記ディスプレイに出力する手段、
（ＡＯ）前記表示エリア１〜ｎのいずれかを、前記ディスプレイ上に縦横に並んだタイル状に表示するタイル表示エリアの一つとして選択するタイル表示エリア登録入力を受け付けるタイル表示エリア登録入力受付手段、
（ＡＰ）前記タイル表示エリア登録入力によって選択された表示エリアの被選択時における前記表示エリア管理情報のうち、少なくとも監視盤上での位置、表示ウィンドウの大きさ、及び拡大率に関する情報を、タイル表示エリアｐ（但し、ｐは２以上の整数）の管理情報ｐとしてタイル表示エリア管理情報記憶装置に記憶するタイル表示エリア登録手段、
（ＡＱ）タイル表示モード選択入力を受け付けるタイル表示モード選択入力受付手段、
（ＡＲ）前記タイル表示モード選択入力受付手段がタイル表示モードを選択する入力を受け付けたとき、前記二次元画像データ生成手段が生成した二次元画像データであって、前記タイル表示エリア管理情報記憶装置に記憶されているタイル表示エリア１〜ｐのそれぞれに対応する二次元画像データ１〜ｐを、縦横にタイル状に並べて前記ディスプレイに表示する手段。
【請求項２】
（ＡＨ）前記表示エリア１〜ｎのうち、少なくとも前記ディスプレイに表示中の表示エリアについて、その表示エリア管理情報の変更入力を受け付ける表示エリア管理情報変更入力受付手段、及び、
（ＡＩ）前記表示エリア管理情報変更入力受付手段に入力された変更入力に基づいて、当該表示エリアについての前記表示エリア管理情報記憶装置に記憶されている表示エリア管理情報を更新する手段、
を有している請求項１記載の監視盤表示装置。
【請求項３】
前記監視盤表示装置が前記手段（ＡＪ）〜（ＡＬ）を有しており、さらに、
（ＡＭ）前記ディスプレイに前記エリア位置イメージ画像が表示される前記エリア位置イメージ表示モードにおいて、前記表示エリア１〜ｎのいずれかを選択するイメージエリア選択入力を受け付けるイメージエリア選択入力受付手段、及び、
（ＡＮ）前記イメージエリア選択入力受付手段が前記イメージエリア選択入力を受け付けたとき、前記エリア表示モード選択入力受付手段が前記エリア表示モード選択入力を受け付けたと判断するとともに、前記イメージエリア選択入力で選択された表示エリアを前記表示エリア選択入力受付手段が受け付けた最新の表示エリア選択入力で選択された表示エリアであると判断する手段、
を有している請求項１又は２のいずれかに記載の監視盤表示装置。
【請求項４】
前記監視盤表示装置が前記手段（ＡＪ）〜（ＡＬ）及び前記手段（ＡＯ）〜（ＡＲ）を有しており、さらに、
（ＡＳ）前記タイル表示モードにおいて、前記ディスプレイ上に表示されているタイル表示エリア１〜ｐの中から一つのタイル表示エリアを選択する表示タイル選択入力を受け付ける表示タイル選択入力受付手段、
（ＡＴ）前記表示タイル選択入力受付手段が前記表示タイル選択入力を受け付けたとき、前記エリア表示モード選択入力受付手段が前記エリア表示モードを選択する選択入力を受け付けたと判断するとともに、前記表示エリア選択入力受付手段が受け付けた最新の表示エリア選択入力で選択された表示エリアの前記表示エリア管理情報のうち、少なくとも、監視盤上での位置、表示ウィンドウの大きさ、及び拡大率に関する情報を、選択されたタイル表示エリアの管理情報に含まれる対応する情報で更新する手段、及び、
（ＡＵ）前記二次元画像データ生成手段が生成した二次元画像データであって、前記表示エリア選択入力受付手段が受け付けた最新の表示エリア選択入力によって選択された表示エリアに対応する二次元画像データを前記ディスプレイに出力する手段、
を有している請求項１〜３のいずれかに記載の監視盤表示装置。
【請求項５】
前記受信手段が施設又は設備の異常を示す１又は複数の情報データを受信したとき、表示モードを異常通知モードに切り換える手段を有しており、前記異常通知モードは、
（ＡＶ）異常を示す情報データに対応する１又は複数の異常発生施設又は設備の監視盤上での位置を求める異常発生位置同定手段、及び同定された異常発生位置を記憶する異常発生位置記憶装置、
（ＡＷ）異常表示エリアの監視盤上での位置、表示ウィンドウの大きさ、及び拡大率に関する情報を含む異常表示エリア管理情報を記憶する異常表示エリア管理情報記憶装置、
（ＡＸ）前記１又は複数の異常発生施設又は設備のうち、前記異常表示エリアに含まれない残余の異常発生施設又は設備を未確認異常発生施設又は設備として、それらの監視盤上での位置と、前記異常表示エリア管理情報とに基づいて、前記異常表示エリアからみた前記未確認異常発生施設又は設備の監視盤上での方向を異常発生方向として求める未確認異常発生方向同定手段、
（ＡＹ）前記二次元画像データ生成手段が生成した二次元画像データであって、前記異常表示エリアに対応する二次元画像データに前記異常発生方向を示す１又は複数オブジェクトに対応する画像データを重畳させて、異常表示画像データを生成する異常表示画像データ生成手段、及び、
（ＡＺ）前記異常表示画像データ生成手段が生成した前記異常表示画像データを前記ディスプレイに出力し、表示する手段、
を有している請求項１〜４のいずれかに記載の監視盤表示装置。
【請求項６】
（ＢＡ）前記ディスプレイに前記異常表示画像データが表示される前記異常通知モードにおいて、前記ディスプレイに表示された異常発生方向を示す１又は複数のオブジェクトの中から１つのオブジェクトを選択する選択入力を受け付ける異常発生方向選択入力受付手段、
（ＢＢ）前記異常発生方向選択入力受付手段が受け付けた選択入力によって選択されたオブジェクトが示す方向に位置する少なくとも１つの未確認異常発生施設又は設備の監視盤上での位置に関する情報に基づいて、前記異常表示エリア管理情報記憶装置に記憶されている異常表示エリア管理情報を更新する手段、
（ＢＣ）前記未確認異常発生施設又は設備のうち、更新された前記異常表示エリア管理情報に対応する異常表示エリアに含まれない残余の異常発生施設又は設備を新たに未確認異常発生施設又は設備とし、それらの監視盤上での位置と、更新された前記異常表示エリア管理情報とに基づいて、前記異常表示エリアからみた前記未確認異常発生施設又は設備の監視盤上での方向を異常発生方向として求める未確認異常発生方向同定手段、
（ＢＤ）前記二次元画像データ生成手段が生成した二次元画像データであって、前記異常表示エリアに対応する二次元画像データに前記異常発生方向を示す１又は複数オブジェクトに対応する画像データを重畳させて、異常表示画像データを生成する異常表示画像データ生成手段、及び、
（ＢＥ）前記異常表示画像データ生成手段が生成した前記異常表示画像データを前記ディスプレイに出力し、表示する手段、
を有している請求項５記載の監視盤表示装置。
【請求項７】
（ＢＦ）前記異常表示エリアを、前記ディスプレイ上に縦横に並んだタイル状に表示するタイル表示エリアの一つとして選択するタイル表示エリア登録入力を受け付けるタイル表示エリア登録入力受付手段、及び、
（ＢＧ）前記タイル表示エリア登録入力によって選択された前記異常表示エリアの被選択時における前記異常表示エリア管理情報のうち、少なくとも監視盤上での位置、表示ウィンドウの大きさ、及び拡大率に関する情報を、タイル表示エリアｐ（但し、ｐは２以上の整数）の管理情報ｐとしてタイル表示エリア管理情報記憶装置に記憶するタイル表示エリア登録手段、
を有している請求項５又は６のいずれかに記載の監視盤表示装置。
【請求項８】
（ＢＨ）前記受信手段が受信した前記情報データを、前記情報データに含まれる時間情報又は受信時刻情報とともに記憶する情報データ記憶装置、
（ＢＩ）前記情報データ記憶装置に記憶されている前記情報データを前記時間情報又は前記受信時刻情報に基づいて、時系列的に読み出して再生する情報データ再生手段、
（ＢＪ１）前記情報データ再生手段が再生する情報データに基づいて、前記二次元画像データ生成手段を動作させる手段、
を備えている請求項１〜７のいずれかに記載の監視盤表示装置。
【請求項９】
（ＢＨ）前記受信手段が受信した前記情報データを、前記情報データに含まれる時間情報又は受信時刻情報とともに記憶する情報データ記憶装置、
（ＢＩ）前記情報データ記憶装置に記憶されている前記情報データを前記時間情報又は前記受信時刻情報に基づいて、時系列的に読み出して再生する情報データ再生手段、
（ＢＪ２）前記情報データ再生手段が再生する情報データに基づいて、前記表示モードを異常通知モードに切り換える手段を動作させる手段、
を備えている請求項５〜７のいずれかに記載の監視盤表示装置。
【請求項１０】
（ＢＫ）前記情報データ再生手段によって時系列的に読み出して再生される前記情報データの範囲を、前記情報データ記憶装置に記憶されている前記時間情報又は受信時刻情報に基づいて、年、月、週、日、時間、又は分単位で指定する読み出し再生範囲指定入力を受け付ける読み出し再生範囲指定入力受付手段、
を備えている請求項８又は９のいずれかに記載の監視盤表示装置。
【請求項１１】
施設又は設備群の状態を監視する監視盤をディスプレイに画像として表示する監視盤表示方法であって、表示される監視盤画像は、施設又は設備群の構成を模式的に表す背景画像と、前記施設又は設備群の状態を表す表示器画像とを含み、前記監視盤表示方法は、
（ＣＡ）前記施設又は設備群の状態を示す情報データを受信する受信ステップ、
（ＣＢ）受信した上記情報データと、指定されたエリアについての監視盤上での位置、表示ウィンドウの大きさ、及び拡大率に関する情報とに基づいて、背景画像記憶装置からの対応する細分背景画像の読み出し及び表示器画像記憶装置からの対応する表示器画像の読み出しを行い、読み出された細分背景画像及び表示器画像についての三次元モデルの生成とテクスチャマッピング及びレンダリングによって、指定された前記エリアに対応した監視盤画像の二次元画像データを生成する二次元画像データ生成ステップ、
（ＣＣ）監視盤上に設定されるｎ個（但し、ｎは２以上の整数）の表示エリア１〜ｎのそれぞれについて、その監視盤上での位置、表示ウィンドウの大きさ、及び拡大率に関する情報を含む表示エリア管理情報を表示エリア管理情報記憶装置に記憶するステップ、及び、
（ＣＤ）前記表示エリア１〜ｎの中から１つの表示エリアが選択されたとき、前記二次元画像データ生成ステップにおいて生成された二次元画像データであって、前記選択された表示エリアに対応する二次元画像データを前記ディスプレイに出力するステップ、
を含み、さらに、下記ステップ（ＣＧ）〜（ＣＩ）及び／又は下記ステップ（ＣＬ）〜（ＣＮ）を含む監視盤表示方法、
（ＣＧ）前記二次元画像データ生成ステップにおいて生成された二次元画像データであって、監視盤の全エリアに対応する二次元画像データに、前記表示エリア１〜ｎのそれぞれに相当するエリア枠を表示する画像データを重畳させ、エリア位置イメージ画像データを生成するエリア位置イメージ画像データ生成ステップ、
（ＣＨ）表示モードとして、エリア位置イメージ表示モードが選択されたとき、前記エリア位置イメージ画像データ生成ステップにおいて生成された前記エリア位置イメージ画像データを前記ディスプレイに出力するステップ、
（ＣＩ）表示モードとして、エリア表示モードが選択されたとき、前記二次元画像データ生成ステップにおいて生成された二次元画像データであって、時間的に最も後に選択された表示エリアに対応する二次元画像データを前記ディスプレイに出力するステップ、
（ＣＬ）前記表示エリア１〜ｎのいずれかを、前記ディスプレイ上に縦横に並んだタイル状に表示するタイル表示エリアの一つとして選択するタイル表示エリア登録入力を受け付けるステップ、
（ＣＭ）タイル表示エリアの一つとして選択された前記表示エリアの被選択時における前記表示エリア管理情報のうち、少なくとも監視盤上での位置、表示ウィンドウの大きさ、及び拡大率に関する情報を、タイル表示エリアｐ（但し、ｐは２以上の整数）の管理情報ｐとしてタイル表示エリア管理情報記憶装置に記憶するステップ、
（ＣＮ）表示モードとして、タイル表示モードが選択されたとき、前記二次元画像データ生成ステップにおいて生成された二次元画像データであって、前記タイル表示エリア管理情報記憶装置に記憶されているタイル表示エリア１〜ｐのそれぞれに対応する二次元画像データ１〜ｐを、縦横にタイル状に並べて前記ディスプレイに表示するステップ。
【請求項１２】
（ＣＥ）前記表示エリア１〜ｎのうち、少なくとも前記ディスプレイに表示中の表示エリアについて、その表示エリア管理情報の変更入力を受け付けるステップ、及び、
（ＣＦ）受け付けた前記変更入力に基づいて、当該表示エリアについての前記表示エリア管理情報記憶装置に記憶されている表示エリア管理情報を更新するステップ、
を含む請求項１１記載の監視盤表示方法。
【請求項１３】
前記監視盤表示方法が前記ステップ（ＣＧ）〜（ＣＩ）を含み、さらに、
（ＣＪ）前記ディスプレイに前記エリア位置イメージ画像が表示される前記エリア位置イメージ表示モードにおいて、前記表示エリア１〜ｎのいずれかを選択するイメージエリア選択入力を受け付けるステップ、
（ＣＫ）前記イメージエリア選択入力を受け付けたとき、表示モードとして前記エリア表示モードが選択されたと判断するとともに、前記イメージエリア選択入力で選択された表示エリアを時間的に最も後に選択された表示エリアであると判断するステップ、
を含む請求項１１又は１２のいずれかに記載の監視盤表示方法。
【請求項１４】
前記監視盤表示方法が前記ステップ（ＣＧ）〜（ＣＩ）及び前記ステップ（ＣＬ）〜（ＣＮ）を含み、さらに、
（ＣＯ）１又は複数のタイル表示エリアのそれぞれに対応する二次元画像データが前記ディスプレイ上に縦横にタイル状に並べて表示される前記タイル表示モードにおいて、前記ディスプレイ上に表示されているタイル表示エリア１〜ｐの中から一つのタイル表示エリアを選択する表示タイル選択入力を受け付けるステップ、
（ＣＰ）前記表示タイル選択入力を受け付けたとき、表示モードとして、前記エリア表示モードが選択されたと判断するとともに、時間的に最も後に選択された表示エリアの前記表示エリア管理情報のうち、少なくとも、監視盤上での位置、表示ウィンドウの大きさ、及び拡大率に関する情報を、選択されたタイル表示エリアの管理情報に含まれる対応する情報で更新するステップ、及び、
（ＣＱ）前記二次元画像データ生成ステップにおいて生成された二次元画像データであって、時間的に最も後に選択された表示エリアに対応する二次元画像データを前記ディスプレイに出力するステップ、
を含む請求項１１〜１３のいずれかに記載の監視盤表示方法。
【請求項１５】
前記受信ステップにおいて施設又は設備の異常を示す１又は複数の情報データを受信したとき、
（ＣＲ）表示モードを異常通知モードに切り換えるステップ、
（ＣＳ）異常を示す情報データに対応する１又は複数の異常発生施設又は設備の監視盤上での位置を求めるステップ、
（ＣＴ）異常表示エリア管理情報記憶装置に記憶されている異常表示エリアの監視盤上での位置、表示ウィンドウの大きさ、及び拡大率に関する情報を異常表示エリア管理情報として読み出すステップ、
（ＣＵ）前記１又は複数の異常発生施設又は設備のうち、前記異常表示エリアに含まれない残余の異常発生施設又は設備を未確認異常発生施設又は設備として、それらの監視盤上での位置と、前記異常表示エリア管理情報とに基づいて、前記異常表示エリアからみた前記未確認異常発生施設又は設備の監視盤上での方向を異常発生方向として求める異常発生方向同定ステップ、
（ＣＶ）前記二次元画像データ生成ステップにおいて生成された二次元画像データであって、前記異常表示エリアに対応する二次元画像データに前記異常発生方向を示す１又は複数オブジェクトに対応する画像データを重畳させて、異常表示画像データを生成する異常表示画像データ生成ステップ、及び、
（ＣＷ）前記異常表示画像データ生成ステップにおいて生成された前記異常表示画像データを前記ディスプレイに表示するステップ、
を含む請求項１１〜１４のいずれかに記載の監視盤表示方法。
【請求項１６】
（ＣＸ）前記ディスプレイに前記異常表示画像データが表示される前記異常通知モードにおいて、前記ディスプレイに表示された異常発生方向を示す１又は複数のオブジェクトの中から１つのオブジェクトを選択する選択入力を受け付けるステップ、
（ＣＹ）選択されたオブジェクトが示す方向に位置する少なくとも１つの未確認異常発生施設又は設備の監視盤上での位置に関する情報に基づいて、前記異常表示エリア管理情報記憶装置に記憶されている前記異常表示エリア管理情報を更新するステップ、
（ＣＺ）前記未確認異常発生施設又は設備のうち、更新された前記異常表示エリア管理情報に対応する異常表示エリアに含まれない残余の異常発生施設又は設備を新たに未確認異常発生施設又は設備とし、それらの監視盤上での位置と、更新された前記異常表示エリア管理情報とに基づいて、前記異常表示エリアからみた前記未確認異常発生施設又は設備の監視盤上での方向を異常発生方向として求める異常発生方向同定ステップ、
（ＤＡ）前記二次元画像データ生成ステップにおいて生成された二次元画像データであって、前記異常表示エリアに対応する二次元画像データに前記異常発生方向を示す１又は複数オブジェクトに対応する画像データを重畳させて、異常表示画像データを生成する異常表示画像データ生成ステップ、及び、
（ＤＢ）前記異常表示画像データ生成ステップにおいて生成された前記異常表示画像データを前記ディスプレイに出力し、表示するステップ、
を含む請求項１５記載の監視盤表示方法。
【請求項１７】
（ＤＣ）前記異常表示エリアを、前記ディスプレイ上に縦横に並んだタイル状に表示するタイル表示エリアの一つとして選択するタイル表示エリア登録入力を受け付けるステップ、
（ＤＤ）タイル表示エリアの一つとして選択された前記異常表示エリアの被選択時における異常表示エリア管理情報のうち、少なくとも監視盤上での位置、表示ウィンドウの大きさ、及び拡大率に関する情報を、タイル表示エリア管理情報としてタイル表示エリア管理情報記憶装置に記憶するステップ、
を含む請求項１５又は１６のいずれかに記載の監視盤表示方法。
【請求項１８】
（ＤＥ）前記受信手段が受信した前記情報データを、前記情報データに含まれる時間情報又は受信時刻情報とともに記憶するステップ、
（ＤＦ）記憶されている前記情報データを前記時間情報又は前記受信時刻情報に基づいて、時系列的に読み出し再生するステップを含み、
（ＤＧ１）前記再生された情報データに基づいて、前記二次元画像データ生成ステップが実行される、
請求項１１〜１７のいずれかに記載の監視盤表示方法。
【請求項１９】
（ＤＥ）前記受信手段が受信した前記情報データを、前記情報データに含まれる時間情報又は受信時刻情報とともに記憶するステップ、
（ＤＦ）記憶されている前記情報データを前記時間情報又は前記受信時刻情報に基づいて、時系列的に読み出し再生するステップを含み、
（ＤＧ２）前記再生された情報データに基づいて、表示モードを異常通知モードに切り換えるステップが実行される、
請求項１５〜１７のいずれかに記載の監視盤表示方法。
【請求項２０】
（ＤＨ）前記記憶されている前記情報データを時系列的に読み出し再生するステップにおいて、読み出し再生される前記情報データの範囲を、記憶されている前記時間情報又は受信時刻情報に基づいて、年、月、週、日、時間、又は分単位で指定するステップ、
を備えている請求項１８又は１９のいずれかに記載の監視盤表示方法。
【請求項２１】
コンピューターに請求項１１〜２０のいずれかに記載の監視盤表示方法を実行させる手順を記述したプログラム。
【発明の詳細な説明】
【技術分野】
【０００１】
本発明は、施設や設備群の状態を監視する監視盤を表示する監視盤表示装置並びに監視盤表示方法に関し、より詳細には、見易く視認性に優れた監視盤を持ち運び可能な携帯端末にコンピューターで取り扱うことのできる画像として表示する監視盤表示装置並びに監視盤表示方法に関する。
【背景技術】
【０００２】
従来から、電力系統やプラントなどの施設や設備群の状態を監視する監視盤としては、施設や設備群の構成を模式的に表す図形や文字が描かれ、発光体を備えた多数のモザイクブロックを格子状に並べたモザイク式監視盤が用いられている（例えば、特許文献１、特許文献２参照）。モザイク式監視盤は、格子状に並べられたモザイクブロック間の接合部が線として視認され、自然と格子状の地模様を形成するので、この格子状の地模様がモザイクブロックに描かれた種々の施設や設備群を表す図形を視認する際の視点の基準となり、視認性が良いという利点を備えている。しかしながら、モザイク式監視盤は、電力系統やプラントなどの広範な施設や設備群を物理的に実体のある多数のモザイクブロックを用いて表示するものであるため、占有スペースが大きくなる上に、発光体を点灯させるための配線等を必要とし、作成やメンテナンスに費用と時間が掛かるという欠点があった。
【０００３】
一方、モザイク式監視盤の上記欠点を解決するために、大型のビデオプロジェクターや液晶パネルなどを１台または複数台並べた表示装置に、コンピューターを用いて作成された単線結線図を表示して、監視盤とすることも提案されている（たとえば、特許文献３参照）。しかしながら、この大型ビデオプロジェクターや液晶パネルによって表示される監視盤は、施設や設備群の配置状況と接続関係とを、単に図形とそれらを接続する線からなる平面的な二次元画像として表示するだけのものであるので、監視盤としてのリアルさに欠け、しかもモザイク式監視盤にはあった格子状の地模様もないので、視認性が悪いという欠点があった。
【０００４】
このような欠点を解消するものとして、本出願人は、コンピューターグラフィックスで用いられているモデリング、テクスチャマッピング、及びレンダリング技術を利用して、施設や設備群の状態を、従来のモザイク式監視盤とほぼ同等の見やすさと視認性を備えた監視盤画像としてディスプレイパネルに表示する監視盤表示装置を提案した（特許文献４）。しかし、本出願人が提案した監視盤表示装置は、基本的に、従来のモザイク式監視盤と同大の大型の表示装置に監視盤画像を表示するものであり、監視盤を見るには、大型の表示装置が設置されている場所に出向く必要があり、必要なときに、必要な場所で随時監視盤をみることができないという不自由さを有していた。
【先行技術文献】
【特許文献】
【０００５】
【特許文献１】実開昭６２−１０４５１５号公報
【特許文献２】特開平９−１９００６号公報
【特許文献３】特開平１０−９４１７１号公報
【特許文献４】特開２００７−３３００８８号公報
【発明の概要】
【発明が解決しようとする課題】
【０００６】
本発明は、本出願人が先に提案した監視盤表示装置の不自由さを解消するために為されたもので、従来のモザイク式監視盤と同じくリアルで臨場感があり、視認性に優れた監視盤を、必要なときに必要な場所でみることができるよう、携帯型端末のディスプレイパネルに表示する監視盤表示装置及び方法を提供することを課題とし、さらには、コンピューターに本発明の監視盤表示方法を実行させる手順を記述したプログラムを提供することを課題とするものである。
【課題を解決するための手段】
【０００７】
本発明は、上記の課題を、施設又は設備群の状態を監視する監視盤をディスプレイに画像として表示する監視盤表示装置であって、表示される監視盤画像は、施設又は設備群の構成を模式的に表す背景画像と、前記施設又は設備群の状態を表す表示器画像とを含み、前記監視盤表示装置は、
（ＡＡ）背景画像を構成する１又は複数個の細分背景画像を記憶する背景画像記憶装置、
（ＡＢ）表示器画像を記憶する表示器画像記憶装置、
（ＡＣ）前記施設又は設備群の状態を示す情報データを受信する受信手段、
（ＡＤ）前記背景画像記憶装置に記憶されている細分背景画像、前記表示器画像記憶装置に記憶されている表示器画像、前記受信手段が受信した前記情報データ、及び、監視盤上の指定されたエリアについての監視盤上での位置、表示ウィンドウの大きさ、及び拡大率に関する情報に基づいて、対応する細分背景画像及び表示器画像についての三次元モデルの生成とテクスチャマッピング及びレンダリングを行い、指定された前記エリアに対応した監視盤の二次元画像データを生成する二次元画像データ生成手段、
（ＡＥ）監視盤上に設定されるｎ個（但し、ｎは２以上の整数）の表示エリア１〜ｎのそれぞれについて、その監視盤上での位置、表示ウィンドウの大きさ、及び拡大率に関する情報を含む表示エリア管理情報を記憶する表示エリア管理情報記憶装置、
（ＡＦ）前記表示エリア１〜ｎの中から１つの表示エリアを選択する表示エリア選択入力を受け付ける表示エリア選択入力受付手段、及び、
（ＡＧ）前記二次元画像データ生成手段が生成した二次元画像データであって、前記表示エリア選択入力受付手段が受け付けた最新の表示エリア選択入力によって選択された表示エリアに対応する二次元画像データを前記ディスプレイに出力する手段、
を有している監視盤表示装置を提供することによって解決するものである。
【０００８】
本発明は、また、施設又は設備群の状態を監視する監視盤をディスプレイに画像として表示する監視盤表示方法であって、表示される監視盤画像は、施設又は設備群の構成を模式的に表す背景画像と、前記施設又は設備群の状態を表す表示器画像とを含み、前記監視盤表示方法は、
（ＣＡ）前記施設又は設備群の状態を示す情報データを受信する受信ステップ、
（ＣＢ）受信した上記情報データと、指定されたエリアについての監視盤上での位置、表示ウィンドウの大きさ、及び拡大率に関する情報とに基づいて、背景画像記憶装置からの対応する細分背景画像の読み出し及び表示器画像記憶装置からの対応する表示器画像の読み出しを行い、読み出された細分背景画像及び表示器画像についての三次元モデルの生成とテクスチャマッピング及びレンダリングによって、指定された前記エリアに対応した監視盤画像の二次元画像データを生成する二次元画像データ生成ステップ、
（ＣＣ）監視盤上に設定されるｎ個（但し、ｎは２以上の整数）の表示エリア１〜ｎのそれぞれについて、その監視盤上での位置、表示ウィンドウの大きさ、及び拡大率に関する情報を含む表示エリア管理情報を表示エリア管理情報記憶装置に記憶するステップ、
（ＣＤ）前記表示エリア１〜ｎの中から１つの表示エリアが選択されたとき、前記二次元画像データ生成ステップにおいて生成された二次元画像データであって、前記選択された表示エリアに対応する二次元画像データを前記ディスプレイに出力するステップ
を含む監視盤表示方法を提供することによって解決するものである。
【０００９】
本発明は、さらに、コンピューターに本発明の監視盤表示方法を実行させる手順を記述したプログラムを提供することによっても上記の課題を解決するものである。
【００１０】
このように、本発明の監視盤表示装置及び監視盤表示方法においては、監視盤上に複数個の表示エリアを設定しておき、設定された表示エリアの中から任意に選択した表示エリアに対応する監視盤画像をディスプレイパネルに表示することができるので、全体としては広範な領域をカバーする監視盤であっても、関心のある特定の表示エリアだけを抽出して表示、監視することが可能である。また、表示する表示エリアを選択して切り換えることによって、複数個の表示エリア間を自在に移動することが可能である。このため、本発明によれば、比較的小型のディスプレイパネルを備えるタブレット端末などの携帯型端末を用いて、大型の表示装置に監視盤を表示する場合と同様に、監視盤全体を監視することができるという利点が得られる。なお、前記複数個の表示エリアの全監視盤上での位置、表示ウィンドウの大きさ、及び拡大率などに関する情報は、それぞれ、適宜変更可能であるのが望ましい。
【００１１】
また、本発明の監視盤表示装置は、その好ましい一態様において、
（ＡＪ）エリア表示モード選択入力を受け付けるエリア表示モード選択入力受付手段、及び、エリア位置イメージ表示モード選択入力を受け付けるエリア位置イメージ表示モード選択入力受付手段、
（ＡＫ）前記二次元画像データ生成手段が生成した二次元画像データであって、監視盤の全エリアに対応する二次元画像データに、前記表示エリア管理情報記憶装置に記憶されている表示エリア管理情報に基づいて、前記表示エリア１〜ｎのそれぞれに相当するエリア枠を表示する画像データを重畳させ、エリア位置イメージ画像データを生成するエリア位置イメージ画像データ生成手段、及び、
（ＡＬ）前記エリア位置イメージ表示モード選択入力受付手段が、前記エリア位置イメージ表示モード選択入力を受け付けたとき、前記エリア位置イメージ画像データ生成手段が生成した前記エリア位置イメージ画像データを前記ディスプレイに出力し、前記エリア表示モード選択入力受付手段が、前記エリア表示モード選択入力を受け付けたとき、前記二次元画像データ生成手段が生成した二次元画像データであって、前記表示エリア選択入力受付手段が受け付けた最新の表示エリア選択入力によって選択された表示エリアに対応する二次元画像データを前記ディスプレイに出力する手段、
を有している。
【００１２】
また、本発明の監視盤表示方法は、その好ましい一態様において、
（ＣＧ）前記二次元画像データ生成ステップにおいて生成された二次元画像データであって、監視盤の全エリアに対応する二次元画像データに、前記表示エリア１〜ｎのそれぞれに相当するエリア枠を表示する画像データを重畳させ、エリア位置イメージ画像データを生成するエリア位置イメージ画像データ生成ステップ、
（ＣＨ）表示モードとして、エリア位置イメージ表示モードが選択されたとき、前記エリア位置イメージ画像データ生成ステップにおいて生成された前記エリア位置イメージ画像データを前記ディスプレイに出力するステップ、及び、
（ＣＩ）表示モードとして、エリア表示モードが選択されたとき、前記二次元画像データ生成ステップにおいて生成された二次元画像データであって、時間的に最も後に選択された表示エリアに対応する二次元画像データを前記ディスプレイに出力するステップ、
を有している。
【００１３】
本発明の監視盤表示装置及び監視盤表示方法が、上記のようなエリア位置イメージ表示モードを備えている場合には、複数個の前記表示エリアが、監視盤全体の中で、どの場所にどのような大きさで設定されているのかを一目で把握することができ、表示エリア同士の監視盤上での位置関係も直感的に理解することが可能となる。また、エリア位置イメージ表示モードにおいて、表示されている表示エリアの中から任意の一つを選択することによって、エリア表示モードに切り替わり、選択された表示エリアの監視盤画像がディスプレイに表示されるように構成する場合には、広範な監視盤上を自在に移動して、関心のある表示エリアの監視盤画像を適宜抽出して監視することができるという利点が得られる。
【００１４】
本発明の監視盤表示装置は、その好ましい一態様において、
（ＡＯ）前記表示エリア１〜ｎのいずれかを、前記ディスプレイ上に縦横に並んだタイル状に表示するタイル表示エリアの一つとして選択するタイル表示エリア登録入力を受け付けるタイル表示エリア登録入力受付手段、
（ＡＰ）前記タイル表示エリア登録入力によって選択された表示エリアの被選択時における前記表示エリア管理情報のうち、少なくとも監視盤上での位置、表示ウィンドウの大きさ、及び拡大率に関する情報を、タイル表示エリアｐ（但し、ｐは２以上の整数）の管理情報ｐとしてタイル表示エリア管理情報記憶装置に記憶するタイル表示エリア登録手段、
（ＡＱ）タイル表示モード選択入力を受け付けるタイル表示モード選択入力受付手段、及び、
（ＡＲ）前記タイル表示モード選択入力受付手段がタイル表示モードを選択する入力を受け付けたとき、前記二次元画像データ生成手段が生成した二次元画像データであって、前記タイル表示エリア管理情報記憶装置に記憶されているタイル表示エリア１〜ｐのそれぞれに対応する二次元画像データ１〜ｐを、縦横にタイル状に並べて前記ディスプレイに表示する手段、
を有している。
【００１５】
本発明の監視盤表示方法は、その好ましい一態様において、
（ＣＬ）前記表示エリア１〜ｎのいずれかを、前記ディスプレイ上に縦横に並んだタイル状に表示するタイル表示エリアの一つとして選択するタイル表示エリア登録入力を受け付けるステップ、
（ＣＭ）タイル表示エリアの一つとして選択された前記表示エリアの被選択時における前記表示エリア管理情報のうち、少なくとも監視盤上での位置、表示ウィンドウの大きさ、及び拡大率に関する情報を、タイル表示エリアｐ（但し、ｐは２以上の整数）の管理情報ｐとしてタイル表示エリア管理情報記憶装置に記憶するステップ、
（ＣＮ）表示モードとして、タイル表示モードが選択されたとき、前記二次元画像データ生成ステップにおいて生成された二次元画像データであって、前記タイル表示エリア管理情報記憶装置に記憶されているタイル表示エリア１〜ｐのそれぞれに対応する二次元画像データ１〜ｐを、縦横にタイル状に並べて前記ディスプレイに表示するステップ、
を有している。
【００１６】
本発明の監視盤表示装置及び監視盤表示方法が、上記のようなタイル表示モードを備えている場合には、表示頻度の高い表示エリア又は近い将来再表示させることが予想される表示エリアをタイル表示エリアとして登録しておき、随時タイル状に並べてディスプレイパネルに表示させることができる。また、表示された複数のタイル表示エリアの中から任意の一つを選択することによって、選択された表示エリアに対応する監視盤画像がディスプレイパネルに表示されるように構成する場合には、目的とする表示エリアが監視盤全体の中のどこに位置しているかにかかわらず、直ちにその表示エリアに対応する監視盤画像をみることができるという利点が得られる。
【００１７】
本発明の監視盤表示装置は、その好ましい一態様において、
前記受信手段が施設又は設備の異常を示す１又は複数の情報データを受信したとき、表示モードを異常通知モードに切り換える手段を有しており、前記異常通知モードは、
（ＡＶ）異常を示す情報データに対応する１又は複数の異常発生施設又は設備の監視盤上での位置を求める異常発生位置同定手段、及び同定された異常発生位置を記憶する異常発生位置記憶装置、
（ＡＷ）異常表示エリアの監視盤上での位置、表示ウィンドウの大きさ、及び拡大率に関する情報を含む異常表示エリア管理情報を記憶する異常表示エリア管理情報記憶装置、
（ＡＸ）前記１又は複数の異常発生施設又は設備のうち、前記異常表示エリアに含まれない残余の異常発生施設又は設備を未確認異常発生施設又は設備として、それらの監視盤上での位置と、前記異常表示エリア管理情報とに基づいて、前記異常表示エリアからみた前記未確認異常発生施設又は設備の監視盤上での方向を異常発生方向として求める未確認異常発生方向同定手段、
（ＡＹ）前記二次元画像データ生成手段が生成した二次元画像データであって、前記異常表示エリアに対応する二次元画像データに前記異常発生方向を示す１又は複数オブジェクトに対応する画像データを重畳させて、異常表示画像データを生成する異常表示画像データ生成手段、及び、
（ＡＺ）前記異常表示画像データ生成手段が生成した前記異常表示画像データを前記ディスプレイに出力し、表示する手段、
を有している。
【００１８】
また、本発明の監視盤表示方法は、その好ましい一態様において、
前記受信手段が施設又は設備の異常を示す１又は複数の情報データを受信したとき、
（ＣＲ）表示モードを異常通知モードに切り換えるステップ、
（ＣＳ）異常を示す情報データに対応する１又は複数の異常発生施設又は設備の監視盤上での位置を求めるステップ、
（ＣＴ）異常通知表示エリア管理情報記憶装置に記憶されている異常表示エリアの監視盤上での位置、表示ウィンドウの大きさ、及び拡大率に関する情報を異常表示エリア管理情報として読み出すステップ、
（ＣＵ）前記１又は複数の異常発生施設又は設備のうち、前記異常表示エリアに含まれない残余の異常発生施設又は設備を未確認異常発生施設又は設備として、それらの監視盤上での位置と、前記異常表示エリア管理情報とに基づいて、前記異常表示エリアからみた前記未確認異常発生施設又は設備の監視盤上での方向を異常発生方向として求める異常発生方向同定ステップ、
（ＣＶ）前記二次元画像データ生成ステップにおいて生成された二次元画像データであって、前記異常表示エリアに対応する二次元画像データに前記異常発生方向を示す１又は複数オブジェクトに対応する画像データを重畳させて、異常表示画像データを生成する異常表示画像データ生成ステップ、及び、
（ＣＷ）前記異常表示画像データ生成ステップにおいて生成された前記異常表示画像データを前記ディスプレイに表示するステップ、
を有している。
【００１９】
本発明の監視盤表示装置及び監視盤表示方法が、上記のような異常通知モードを備えている場合には、前記受信手段が施設又は設備の異常を示す１又は複数の情報データを受信したときには、表示モードが自動的に異常通知モードに切り換わり、異常発生施設又は設備を含む異常表示エリアに対応する監視盤画像がディスプレイに表示されるとともに、その異常表示エリア内に含まれないその他の未確認異常発生施設又は設備が存在する場合には、それらの異常発生施設又は設備が存在する方向がオブジェクトとして前記異常表示エリアに対応する監視盤画像上に重畳して示される。これにより、監視者は、異常の発生を直ちに知り、異常発生施設又は設備の確認を行うことができるだけでなく、現在表示されている異常表示エリアからみてどちらの方向に、幾つの未確認異常発生施設又は設備が存在するのかを知ることが可能となる。
【００２０】
なお、監視盤画像上に重畳して表示される前記オブジェクトを選択すると、異常表示エリアが、選択されたオブジェクトが示す方向に存在する他の異常発生施設又は設備を含むエリアに移動するようにしておくのが好ましい。移動後の異常表示エリア内にも含まれないその他の未確認異常施設又は設備が尚も存在する場合には、新たな異常表示エリアからみた、それら異常発生施設又は設備が存在する方向をオブジェクトとして移動後の異常表示エリアに対応する監視盤画像上に重畳して示すのが望ましい。これにより、異常発生施設又は設備を漏れなく確認することが可能となる。また、異常表示エリアの監視盤画像上での位置、大きさ、拡大率などは適宜変更可能であるのが望ましい。
【００２１】
さらに、本発明の監視盤表示装置は、その好ましい一態様において、
（ＢＨ）前記受信手段が受信した前記情報データを、前記情報データに含まれる時間情報又は受信時刻情報とともに記憶する情報データ記憶装置、
（ＢＩ）前記情報データ記憶装置に記憶されている前記情報データを前記時間情報又は前記受信時刻情報に基づいて、時系列的に読み出して再生する情報データ再生手段、
（ＢＪ）前記情報データ再生手段が再生する情報データに基づいて、前記二次元画像データ生成手段を動作させるか、又は前記表示モードを異常通知モードに切り換える手段を動作させる手段、
を有している。
【００２２】
また、本発明の監視盤表示方法は、その好ましい一態様において、
（ＤＥ）前記受信手段が受信した前記情報データを、前記情報データに含まれる時間情報又は受信時刻情報とともに記憶するステップ、
（ＤＦ）記憶されている前記情報データを前記時間情報又は前記受信時刻情報に基づいて、時系列的に読み出し再生するステップを含み、
（ＤＧ）前記再生された情報データに基づいて、前記二次元画像データ生成ステップ又は表示モードを異常モードに切り換えるステップが実行される。
【００２３】
本発明の監視盤表示装置及び監視盤表示方法が、上記のような情報データ再生手段又は情報データを再生するステップを備え、再生された情報データに基づいて、前記二次元画像データ生成手段を動作させるか、又は前記表示モードを異常通知モードに切り換える手段を動作させる手段を備えているか、或いは、前記二次元画像データ生成ステップ又は表示モードを異常モードに切り換えるステップを実行するように構成されている場合には、一旦、記憶装置に記憶しておいた情報データを適宜読み出して再生し、監視盤画像として再現することができるという利点が得られる。なお、時系列的に読み出し再生する情報データの範囲は、年、月、週、日、時間、又は分単位で指定することができるようにしておくのが望ましい。
【００２４】
本発明の監視盤表示装置及び監視盤表示方法が対象とする携帯型端末は、ディスプレイを備えておれば良く、その具体的な大きさやタイプには特段の制限はない。携帯型端末としては、デスクトップ又はラップトップ型のコンピューターであっても良いし、タブレットタイプの端末であっても良い。また、ディスプレイとしては、タッチ入力デバイスを備えるタッチパネルが好ましいものの、タッチ入力ができない従来型のディスプレイパネルであっても良い。
【００２５】
本発明が対象とする監視盤には特に制限はなく、電力系統の状態を監視する電力系統監視盤はもとより、プラントの運転状態を監視する監視盤や、電車や列車などの運行状況を示す監視盤、道路の渋滞情報や事故の発生状況を示す監視盤などが挙げられる。このように、本発明は、およそ、施設ないしは設備群の状態を監視するあらゆる監視盤を対象とするものであるが、最も好適には電力系統監視盤を対象とするものである。
【発明の効果】
【００２６】
本発明の監視盤表示装置並びに監視盤表示方法によれば、監視盤上に複数個の表示エリアを設定しておくことによって、全体としては広範なエリアをカバーする監視盤であっても、関心のある特定の表示エリアだけを抽出して、施設または設備群の状態を監視することが可能となる。また、複数個の表示エリア間を自在に移動することができるので、比較的小型のディスプレイを備える端末又は携帯型端末を用いる場合であっても、監視盤全体を充分に監視することができるという利点が得られる。また、本発明の監視盤表示装置並びに監視盤表示方法が、エリア位置イメージ表示モードを備えている場合には、複数個の前記表示エリアが、監視盤全体の中で、どの場所にどのような大きさで設定されているのかを一目で把握することができ、前記表示エリア同士の監視盤上での位置関係を直感的に理解することが可能となるので、比較的小型のディスプレイを備える端末又は携帯型端末に監視盤画像を表示させる場合であっても、複数の表示エリア間での移動をより容易に、かつ直感的に行うことができるという利点が得られる。
【００２７】
さらに、本発明の監視盤表示装置並びに監視盤表示方法が、タイル表示モードを備えている場合には、表示頻度の高い表示エリア又は近い将来再表示させることが予測される表示エリアをタイル表示エリアとして登録しておき、随時タイル状に並べてディスプレイに表示させ、その中から任意の一つの表示エリアを選択することによって、直ちにその表示エリアの監視盤画像をディスプレイに表示させることができるので、広範な監視盤の中から関心のあるエリアを瞬時に選択、表示させることができるという利点が得られる。
【００２８】
加えて、本発明の監視盤表示装置並びに監視盤表示方法が、異常通知モードを備えている場合には、前記受信手段が施設又は設備の異常を示す１又は複数の情報データを受信したときには、異常発生施設又は設備を含む異常表示エリアに対応する監視盤画像がディスプレイに表示されるとともに、その異常表示エリア内に含まれないその他の異常発生施設又は設備が存在する場合には、それらの異常発生施設又は設備が存在する方向がオブジェクトとして前記異常表示エリアに対応する監視盤画像上に重畳して示されるので、比較的小型のディスプレイパネルに監視盤を表示させる場合であっても、異常の発生を見逃すことなく、かつ、漏れなく確認できるという利点が得られる。
【００２９】
さらに、本発明の監視盤表示装置並びに監視盤表示方法が、記憶されている情報データを時系列的に読み出し再生する手段又はステップと、再生された情報データに基づいて二次元画像データ生成手段を動作させるか、又は表示モードを異常通知モードに切り換える手段を動作させる手段を備えているか、或いは、二次元画像データ生成ステップ又は表示モードを異常モードに切り換えるステップを実行するように構成されている場合には、一旦、記憶装置に記憶しておいた過去の情報データを適宜読み出して再生し、監視盤画像として再現し、確認等の作業を行うことができるという利点が得られる。
【００３０】
以上のとおり、本発明の監視盤表示装置並びに監視盤表示方法は、上記の様々な機能を有しているので、通常はマルチディスプレイパネルなどで構成される大型の表示装置に表示される監視盤画像を、当該大型の表示装置が設置されている場所に赴くことなく、タブレット端末などの携帯端末、デスクトップ又はラップトップ型のコンピューター、ノートパソコンなどを用いて、場所や時を選ばずに見て監視することができるという優れた利点が得られる。
【図面の簡単な説明】
【００３１】
【図１】本発明の監視盤表示装置の一例を示すブロック図である。
【図２】主記憶装置に記憶される主たる情報の内容を表す概念図である。
【図３】背景画像の一例を示す図である。
【図４】細分背景画像の一例を示す図である。
【図５】表示器画像の一例を示す図である。
【図６】表示エリア管理情報の一例を表す説明図である。
【図７】タッチサーバの機能を表す模式図である。
【図８】表示エリアの構成を模式的に示した図であり、表示エリアＮｏ．４が表示状態にある図である。
【図９】表示エリアＮｏ．５が表示状態にある図である。
【図１０】表示エリアＮｏ．６が表示状態にある図である。
【図１１】表示エリアＮｏ．１が表示状態にある図である。
【図１２】表示エリアｎの監視盤上での位置の一例を示す図である。
【図１３】表示エリアｎの監視盤上での位置を移動させた場合の図である。
【図１４】表示エリアｎの監視盤二次元画像を拡大した場合の図である。
【図１５】エリア表示モードからエリア位置イメージ表示モードへの切り換え動作を示す図である。
【図１６】エリア位置イメージ画像の一例を示す図である。
【図１７】エリア位置イメージ表示モードからタイル表示モードへの切り換え動作を示す図である。
【図１８】タイル表示画像の一例を示す図である。
【図１９】タイル表示様式の変更動作の説明図である。
【図２０】未確認異常発生施設又は設備群の方向の同定基準を示す図である。
【図２１】異常表示画像の一例を示す図である。
【図２２】異常発生方向を示すオブジェクトを選択して異常表示エリアを移動させた後の異常表示画像の一例を示す図である。
【発明を実施するための形態】
【００３２】
以下、電力系統監視盤を例に、図面を用いて本発明の監視盤表示装置及び監視盤表示方法を説明するが、本発明が図示のものに限られないことは勿論である。
【００３３】
図１は、本発明の監視盤表示装置の一例を示すブロック図である。図１において、１は監視盤表示装置であり、２は監視盤表示装置１を構成する中央処理装置、３は主記憶装置、４は画像データ記憶装置、４ａは画像データ記憶装置４の表示領域、５はタッチパネル、すなわち、タッチ入力デバイスを有するディスプレイパネル、６はタッチサーバ、７は受信手段であり、受信手段７は、有線又は無線で、例えばＬＡＮなどの外部ネットワークに接続し、後述する情報データを受信する。
【００３４】
８は二次元画像データ生成手段、９はエリア枠画像データ生成手段、１０はエリア位置イメージ画像データ生成手段、１１は異常表示エリア管理情報記憶装置、１２は異常発生位置同定手段、１３は異常発生位置記憶装置、１４は未確認異常発生方向同定手段、１５は未確認異常発生方向オブジェクト生成手段、１６は異常表示画像データ生成手段である。
【００３５】
図２は、主記憶装置３に記憶される主たる情報の内容を表したものである。図２に示されるとおり、主記憶装置３は、主として、背景画像記憶装置、表示器画像記憶装置、表示エリア管理情報記憶装置、全エリア管理情報記憶装置、タイル表示エリア管理情報記憶装置、及び情報データ記憶装置から構成されており、主記憶装置３には主としてこれらの情報が記憶される。
【００３６】
背景画像とは、監視盤に表示される施設又は設備群の構成を模式的に示す画像であり、基本的に、特許文献４に記載されている背景画像と同じものである。図３に主記憶装置３に記憶されている背景画像の一例を示す。図３において１０１は背景画像であり、背景画像１０１は、一つの監視盤の全体に相当し、主として、施設や設備群の種類や配置、相互の接続関係などの、短期間では変化しない半固定的な構成を図形等によって模式的に示すものである。背景画像１０１は、本発明によって表示される監視盤画像においては、後述する表示器画像の背景として位置づけられるものである。
【００３７】
図３に示す例の場合、背景画像１０１は、横はＡ〜Ｌの１２列、縦は１〜６の６行からなる、１２×６＝７２個の細分背景画像１０２から構成されており、各細分背景画像１０２には、その背景画像１０１中に占める位置に対応して、Ａ１、Ｂ２等の名称が付されており、この名称によって、その細分背景画像１０２が背景画像１０１中のどの位置に配置されるべきものであるかを知ることができる。例えば、図３においてＦ３で示された細分背景画像１０２は、図中破線で示すとおり、背景画像１０１において、Ｆ列、３行の位置を占めるものであり、例えば細分背景画像１０２Ｆ３として表示することができる。
【００３８】
背景画像１０１を構成する細分背景画像１０２の数は、表示すべき監視盤の大きさや、細分背景画像の大きさによって変化することは勿論であり、背景画像１０１は、通常、図３に示されるよりも遙かに多くの細分背景画像１０２に細分されている。なお、タッチパネル５に表示させる監視盤画像を滑らかに拡大、縮小することができるように、主記憶装置３には、描画倍率が段階的に異なる複数セットの細分背景画像が記憶されているのが望ましい。
【００３９】
図４は、細分背景画像１０２の一例を拡大して示す図であり、図３におけるＦ３の位置の細分背景画像に相当するものである。図４において、１０３は設備の名称表示であり、短期的には変更が予定されておらず、しかもその設備自体は監視対象とされていないので、半固定的な背景画像として描かれている。１０４は各設備を結ぶ送電線であり、その状態は監視対象とはされていないため、半固定的な背景画像として描かれている。１０５はラインスイッチ、１０６ａ、１０６ｂ、１０６ｃはサーキットブレーカーであり、これらは情報データに含まれるテレメータ信号に基づいて状態を変化させて表示しなければならない表示器に相当する図形ではあるけれども、細分背景画像１０２全体を見易くするために、便宜上描かれているものである。
【００４０】
１０７は電気所名表示器である。電気所名表示器１０７は、情報データに含まれるテレメータ信号に基づいてその色彩等を変化させなければならない施設または設備の名称を表示する所名表示器に相当する部分であり、図４に示す細分背景画像１０２においては、白く、無地で残されている。１０８は、テレメータ信号に基づいて、電圧等の変化する数字を表示する数値表示器に相当する部分であり、数値表示器の形状を模した図形が描かれている。なお、細分背景画像の詳細や具体例に関しては、特許文献４に詳述されている。
【００４１】
同様に、表示器画像とは、監視盤に表示される施設又は設備の種類、状態、及び／又は名称を表す図形、数字、記号、符合、文字、もしくはこれらの２以上の組み合わせを含み、必要に応じて色彩が付与された図形であり、基本的に、特許文献４に記載されている表示器画像と同じものである。図５に、主記憶装置３の表示器画像記憶装置に記憶されている数字や符号の表示器画像の一例を示す。図５に示すように、０から９までの数字と、プラス、マイナスの符号、上又は下向きの矢印、左又は右向きの矢印、及び小数点のセットが複数セット（Ｃ１〜Ｃ７）定義され、記憶されているが、例えばＣ１のセットは「緑」、Ｃ２のセットは「赤」、Ｃ３のセットは「黄」というように、各セットは色彩が異なっている。Ｃ０はブランクの図形のセットであり、数字や符号を何も表示しない場合には、このＣ０のブランクの図形のセットが使用される。図５においてＥの行に示される「Ｅ」の文字は「エラー」を表し、「ＥＥＥＥＥＥＥ」と表示されたその一文字一文字は異なる色彩の「Ｅ」である。「ＥＥＥＥＥＥＥ」の列の一番左には、「Ｅ」の文字のないブランクの図形が定義されており、これはエラー表示を行わない場合に使用される。情報信号に基づいて、これらの数字又は符号の中から該当する表示器画像が選択され、例えば、図４に示す数値表示器１０８の位置に表示されることになる。
【００４２】
図５に示す数字、符号等の画像は、あくまでも例示であり、図５に示される以外の図形や数字、文字、符号、記号等を図形として定義して、主記憶装置３に記憶させても良いことは言うまでもない。表示器画像に関しても、タッチパネル５に表示させる監視盤画像を滑らかに拡大、縮小することができるように、描画倍率が段階的に異なる複数セットの表示器画像が主記憶装置３に記憶されているのが望ましい。表示器画像の詳細や具体例に関しては、特許文献４に詳述されている。
【００４３】
主記憶装置３が、描画倍率が段階的に異なる複数セットの細分背景画像とともに、描画倍率が段階的に異なる複数セットの表示器画像を記憶している場合には、指定された拡大、縮小率に合わせて適宜の描画倍率の細分背景画像及び表示器画像を主記憶装置３から読み出して、監視盤画像を作成することができるので、単にソフトウエア上で拡大、縮小を行う場合に比べて、常に鮮明が画像を表示することができるという利点が得られる。
【００４４】
表示エリア管理情報とは、タッチパネル５に適宜切り換えて表示する監視盤上の選択されたエリアについての管理情報である。表示エリア管理情報は、図６に示すとおり、各表示エリアｎ（ｎは２以上の整数）について、例えば各表示エリアの左下角を基準点として、その基準点のＸ座標（監視盤の原点からみたＸ軸（横方向）位置）及びＹ座標（監視盤の原点からみたＹ軸（縦方向）位置）、タッチパネル５に表示されるウィンドウとしての幅及び高さ、表示状態（表示中であるか非表示中であるかの状態表示）、拡大（縮小）率（ウィンドウの高さと表示される監視盤のＹ軸方向の長さの比）、表示深度（選択履歴順に付される表示エリアの表示深度であって、最新に選択されたものが表示深度＝０となり、最も手前に表示される。以下、選択履歴が新しいもの順に表示深度＝１、２、３・・・が付され、最も古くに選択された表示エリアの表示深度はｎで最も深く、画像上は最も奥に表示される）などの管理情報から構成され、主記憶装置３を構成する表示エリア管理情報記憶装置に記憶される。なお、タッチパネル５に表示されるウィンドウの幅及び高さは表示エリア毎に異なっていても良いが、全表示エリアで同じ幅及び高さに揃えておく場合には、各表示エリアに対応する監視盤画像が共通する同一サイズのウィンドウとして表示されるので好ましい。
【００４５】
なお、主記憶装置３に記憶される表示エリア管理情報は、上記のものだけに限られない。必要であれば、併存する他の表示エリアとの監視盤上での位置関係などの情報を表示エリア管理情報として主記憶装置３に記憶するようにしても良い。また、逆に、上記表示エリア管理情報の全てが表示エリア管理情報記憶装置である主記憶装置３に記憶される必要はなく、適宜、不要と思われる情報は省略しても良い。ただし、選択された表示エリアに対応する監視盤画像データを得てタッチパネル５に表示するという観点からは、各表示エリアの監視盤上での位置（すなわちＸ座標及びＹ座標）、大きさ（すなわち表示ウィンドウの幅及び高さ）、及び拡大（縮小）率は表示エリア管理情報として主記憶装置３に記憶されるのが好ましい。
【００４６】
全エリア管理情報とは、監視盤全体の幅（Ｘ軸方向の長さ）、高さ（Ｙ軸方向の長さ）、監視盤に含まれる施設及び設備群の種類、位置、結合関係等についての情報であり、主記憶装置３を構成する前エリア管理情報記憶装置に記憶される。
【００４７】
タイル表示エリア管理情報とは、後述するタイル表示モードにおいて、タッチパネル５上に縦横に並んだタイル状に表示する表示エリアについての管理情報である。タイル表示エリア管理情報としては、表示エリア管理情報と同様に、各タイル表示エリアについて、例えば各表示エリアの左下角を基準点として、その基準点のＸ座標（監視盤の原点からみたＸ軸（横方向）位置）及びＹ座標（監視盤の原点からみたＹ軸（縦方向）位置）、タッチパネル５に表示されるウィンドウとしての幅及び高さ、拡大（縮小）率（ウィンドウの高さと表示される監視盤のＹ軸方向の長さの比）などの情報が挙げられ、これらのタイル表示エリア管理情報は、主記憶装置３を構成するタイル表示エリア管理情報記憶装置に記憶される。なお、タイル表示エリア管理情報記憶装置は、上記の管理情報に限られるものではなく、例えば、タイル表示エリアとして登録された順序に関する情報を併せて主記憶装置３に記憶させるようにしても良い。
【００４８】
情報データとは、特許文献４でいうテレメータ信号に相当するものであり、監視盤に含まれる監視すべき施設及び設備群の状態を表す情報を含んだデータ信号である。情報データには、監視対象となっている各施設又は設備の状態を表すテレメータ信号と、そのテレメータ信号がどの施設又は設備のものであるのかを表す情報が含まれており、ネットワークを介して受信手段７によって逐次受信される。受信された情報データは、主記憶装置３を構成する情報データ記憶装置に記憶される。情報データは、その施設又は設備についての状態を表す信号がいつ得られたものであるのかを示す時刻情報を含んでいても良い。また、逐次受信する情報データとともに、受信手段７による各情報データの受信時刻又は主記憶装置３による記憶時刻を主記憶装置３に併せて記憶するようにしても良い。情報データには、監視すべき施設及び設備群の状態を表すテレメータ信号が異常と判断されるものであるときには、異常が発生したことを知らせる異常発生信号が含まれているのが好ましい。なお、受信手段７が受信する情報データは、通常は、実際の施設及び設備群の状態を示す実際の情報データであるが、訓練用の模擬信号であっても良い。
【００４９】
なお、図１に示す例では、背景画像、表示器画像、表示エリア管理情報、全エリア管理情報、タイル表示エリア管理情報、及び情報データは、全て単一の主記憶装置３に記憶されるが、主記憶装置３は、同じ場所又は異なる場所に位置する複数の記憶装置から構成されていても良い。
【００５０】
図７はタッチサーバ６の機能を模式的に表した図である。タッチサーバ６は、タッチパネル５を介して入力される様々なタッチ入力を識別し、それぞれのタッチ入力に対応した入力信号として、中央処理装置２に伝達する役割を果たしている。本例におけるタッチサーバ６は、エリア表示モード選択入力受付手段６Ａ、エリア位置イメージ表示モード選択入力受付手段６Ｂ、タイル表示モード選択入力受付手段６Ｃ、及び再生表示モード選択入力受付手段６Ｄを備えている。
【００５１】
エリア表示モード選択入力受付手段６Ａとは、タッチパネル５を介して入力されたタッチ入力がエリア表示モード選択入力であると判断される場合に、そのタッチ入力をエリア表示モード選択入力として受け付け、中央処理装置２に伝達する機能を有する手段である。同様に、エリア位置イメージ表示モード選択入力受付手段６Ｂは、タッチパネル５を介して入力されたタッチ入力がエリア位置イメージ表示モード選択入力であると判断される場合に、そのタッチ入力をエリア位置イメージ表示モード選択入力として受け付け、タイル表示モード選択入力受付手段６Ｃは、タッチ入力がタイル表示モード選択入力であると判断される場合に、そのタッチ入力をタイル表示モード選択入力として受け付け、再生表示モード選択入力受付手段６Ｄは、タッチ入力が再生表示モード選択入力であると判断される場合に、そのタッチ入力を再生表示モード選択入力として受け付ける手段であり、各選択入力受付手段が受け付けた各選択入力は、それぞれの選択入力として中央処理装置２に伝達される。
【００５２】
タッチサーバ６は、エリア表示モード選択入力受付手段６Ａがエリア表示モードを選択するタッチ入力を受け付けたとき、エリア表示モード下で動作し、機能する下位の手段として、表示エリア選択入力受付手段６Ａ１、表示エリア変更入力受付手段６Ａ２、表示エリア管理情報変更入力受付手段６Ａ３、及びタイル表示エリア登録入力受付手段６Ａ４を有している。
【００５３】
同様に、タッチサーバ６は、エリア位置イメージ表示モード選択入力受付手段６Ｂがエリア位置イメージ表示モードを選択するタッチ入力を受け付けたとき、エリア位置イメージ表示モード下で動作し、機能する下位の手段として、イメージエリア選択入力受付手段６Ｂ１、及びタイル表示エリア登録入力受付手段６Ｂ２を有している。
【００５４】
同様に、タイル表示モード選択入力受付手段６Ｃがタイル表示モードを選択するタッチ入力を受け付けた場合には、タッチサーバ６はタイル表示モード下で動作し、タッチサーバ６は、タイル表示モード下で動作し、機能する下位の手段として、表示タイル選択入力受付手段６Ｃ１、及びタイル表示様式変更入力受付手段６Ｃ２を有している。
【００５５】
さらに、タッチサーバ６は異常通知モード下で動作し、機能する下位の手段として、異常発生方向選択入力受付手段６Ｅ１、異常表示エリア変更入力受付手段６Ｅ２、及びタイル表示エリア登録入力受付手段６Ｅ３を有している。これら、６Ａ１〜６Ｅ３までの下位の手段の詳細については後述する。
【００５６】
なお、上記の各選択入力受付手段６Ａ、６Ｂ、６Ｃ、６Ｄ、及び６Ａ１〜６Ｅ３までの下位の手段が、タッチサーバ６を構成するハードウエアと、そのハードウエハに所定の動作を行わせるプログラムとによって実現される手段であることはいうまでもない。
【００５７】
以下、各モード別に本発明の監視盤画像表示装置及び表示方法について説明する。
【００５８】
＜Ａ  エリア表示モード＞
このモードは、設定された１〜ｎ（但しｎは２以上の整数）個の表示エリアの監視盤画像をディスプレイパネルであるタッチパネル５に、切り換え自在なウィンドウとして表示するモードである。
【００５９】
図示しない電源がオンになると、監視盤画像表示装置１は、監視盤画像の表示に必要な各種プログラムを主記憶装置３などから読み込み、動作を開始する。受信手段７は、有線又は無線でＬＡＮなどの外部ネットワークに接続しており、外部から、例えば０．５秒間隔で、監視対象である施設又は設備群についての情報データを逐次受信する。監視盤画像表示方法に即していえば、これが監視対象である施設又は設備群の状態を示す情報データを受信する受信ステップということになる。受信手段７が受信した情報データは、中央処理装置２に送られる。中央処理装置２は、受信手段７から送られてくる情報データを、当該情報に含まれている時刻情報又は受信時刻の情報とともに主記憶装置３の情報データ記憶エリアに記憶する。
【００６０】
同時に中央処理装置２は、主記憶装置３に記憶されている全エリア管理情報を参照しつつ、主記憶装置３に記憶されている表示エリア管理情報、すなわち、１〜ｎ個（但し、ｎは２以上の整数）の各表示エリアの監視盤上での位置（Ｘ軸方向位置、Ｙ軸方向位置）、対応するウィンドウの大きさ（幅、高さ）、及び拡大率に基づいて、ｎ個の表示エリアの各々を構成する施設又は設備群の細分背景画像であって、対応する拡大率の細分背景画像を主記憶装置３から読み出すとともに、受信した情報データに基づいて各表示エリアに含まれる設備又は施設群の状態を表す表示器画像を主記憶装置３から読み出し、共に、二次元画像データ生成手段８に送信する。
【００６１】
二次元画像データ生成手段８は、送られてきた細分背景画像と表示器画像に基づいて、それぞれの３次元モデルを作成し、テクスチャマッピングとレンダリングによって、ｎ個の表示エリアの各々について監視盤の二次元画像データを生成する。監視盤画像表示方法に即していえば、監視盤画像表示装置１における上記細分背景画像及び表示器画像の読み出しから画像データ生成手段８における二次元画像データの生成までの動作が、受信した情報データと、監視盤画像上の指定されたエリアについての全監視盤画像上での位置、表示ウィンドウの大きさ、及び拡大率に関する情報とに基づいて、背景画像記憶装置からの対応する細分背景画像の読み出し及び表示器画像記憶装置からの対応する表示器画像の読み出しを行い、読み出された細分背景画像及び表示器画像についての三次元モデルの生成とテクスチャマッピング及びレンダリングによって、指定された前記エリアに対応した監視盤画像の二次元画像データを生成する二次元画像データ生成ステップに相当する。なお、二次元画像データ生成手段８において実行される監視盤の二次元画像データの生成プロセスは、基本的に同じ出願人による特許文献４に開示されたものと同じである。
【００６２】
なお、本例においては、中央処理装置２と二次元画像データ生成手段８とはハードウエアとして別体のものとして存在しているが、二次元画像データ生成手段８は中央処理装置２が所定のプログラムの下に実行する機能の一つとして存在していても良い。
【００６３】
二次元画像データ生成手段８によって生成された複数個の表示エリアの各々についての監視盤の二次元画像データは、画像データ記憶装置４に送られ、一時的に記憶される。画像データ記憶装置４に記憶されている二次元画像データの中から選択された二次元画像データが、画像データ記憶装置４の表示領域４ａに送られ、ディスプレイパネルであるタッチパネル５に表示される。監視盤画像表示方法に即していえば、監視盤表示装置１におけるこの動作が、前記表示エリア１〜ｎの中から１つの表示エリアが選択されたとき、前記二次元画像データ生成ステップにおいて生成された二次元画像データであって、前記選択された表示エリアに対応する二次元画像データをディスプレイに出力するステップに相当する。
【００６４】
図８は、ｎ＝８の場合を例に、タッチパネル５に表示される表示エリアＮｏ．１〜Ｎｏ．８の構成を模式的に示した図である。Ｗは表示ウィンドウであり、図８においては、表示エリアＮｏ．４がタッチパネル５の表示ウィンドウＷに表示されている。つまり、この状態においては、監視盤の表示エリアＮｏ．４に対応する部分の二次元画像データが画像データ記憶装置４の表示領域４ａに存在し、タッチパネル５に表示されていることになる。
【００６５】
なお、情報データは受信手段７によって逐次受信され、中央処理装置２は、逐次受信した情報データに基づいて、主記憶装置３から読み出す各表示エリアに含まれる施設又は設備群の状態を表す表示器画像を逐次変更しているので、二次元画像データ生成手段８によって生成され、画像データ記憶装置４に送られる各表示エリアについての二次元画像データは逐次更新されている。画像データ記憶装置４の表示領域４ａに存在する表示エリアＮｏ．４の二次元画像データも同様である。
【００６６】
図８に示す状態から、例えば、指４本でタッチパネル５の表示ウィンドウＷに表示されている表示エリアＮｏ．４の二次元画像を左方向（図に示す矢印方向）に軽くフリックすると、タッチサーバ６は、そのタッチ入力を現在表示されている表示エリアの一つ右方向に位置する表示エリアの選択入力であると判断し、表示エリア選択入力受付手段６Ａ１によって、一つ右方向に位置する表示エリアの選択入力として受け付けられる。受け付けられた選択入力は中央処理装置２に送られ、中央処理装置２は、複数個の表示エリアが例えば番号順に左から右へと並んでいる場合には、現在表示中である表示エリアＮｏ．４の一つ右側に位置する表示エリアＮｏ．５の二次元画像データであって画像記憶装置４に記憶されている二次元画像データを、画像記憶装置４の表示領域４ａに移動させる。なお、タッチパネル５上での表示エリアＮｏ．４から表示エリアＮｏ．５への切り替わりは、表示エリアＮｏ．４の二次元画像がタッチパネル５の左側に移動して消えていくに連れて、表示エリアＮｏ．５の二次元画像がタッチパネル５の右側から表示ウィンドウＷに現れるように、滑らかに行わせるのが視覚的に好ましい。
【００６７】
図９は、上記のようにして、表示エリアＮｏ．５がタッチパネル５の表示ウィンドウＷに表示されている状態を示している。この状態から再び指４本で表示ウィンドウＷに表示されている表示エリアＮｏ．５の二次元画像を左方向を軽く左方向にフリックすると、そのフリック入力は、上述したと同様に、表示エリア選択入力受付手段６Ａ１によって一つ右側に位置する表示エリアの選択入力であるとして受け付けられ、図１０に示すとおり、表示エリアＮｏ．６がタッチパネル５の表示ウィンドウＷに表示されることになる。指４本によるフリックが右方向である場合には、現在表示中の表示エリアの一つ左側に位置する表示エリアが選択されることになることはいうまでもない。
【００６８】
また、図１０に比較的大きな矢印で示すように、指４本でタッチパネル５を右方向に強く（勢いよく）フリックすると、その強さの程度に応じて、表示エリア選択入力受付手段６Ａ１は、現在タッチパネル５の表示ウィンドウＷに表示中の表示エリアの二つ若しくは三つ以上左側に位置する表示エリアの選択入力であるとしてそのフリック入力を受け付ける。図１１は、指４本による強いフリックによって、表示エリアＮｏ．６からみて最も左側に位置する表示エリアＮｏ．１が選択され、表示ウィンドウＷに表示された状態を表している。フリックの強さ（勢い）がそれ程でもない場合には、表示エリアＮｏ．４、Ｎｏ．３などのその他の表示エリアが表示されることになるのは勿論である。なお、フリック入力に応じて、現在表示中の表示エリアからみて二つ以上右又は左に位置する表示エリアを表示する場合にも、各表示エリアの二次元画像が左側又は右側から順次タッチパネル５に現れては消えていくようにスクロール表示させるのが好ましい。また、スクロール表示の途中で表示された二次元画像上を例えば指１本でタップすることによって、スクロール動作を停止させ、タップされた表示エリアの二次元画像を表示ウィンドウに表示させるようにすることも随意である。
【００６９】
以上のとおり、本例においては、指４本によるフリックの方向及び強さによって表示エリアの選択を行う場合について説明したが、表示エリアを選択するタッチ入力は指４本のフリックに限られるものではなく、適宜変更、設定が可能であることは勿論である。また、タッチ入力に代えて、マウス入力、キーボード入力、音声入力、その他の適宜の入力手段によって表示エリアの選択を行うようにしても良い。以下に説明する他の表示モードにおけるタッチ入力についても同様である。
【００７０】
なお、上記の例では、複数個の表示エリアは、表示エリアに付された番号順に左から右へと並んでいるが、監視盤上での位置（すなわち、Ｘ軸方向位置）に対応した順序で並べるようにしても良い。その場合には、タッチパネル５を指４本で軽く左方向にフリックすると、現在表示中の表示エリアからみて、監視盤のＸ軸方向上で一つ若しくは二つ以上右側に位置する表示エリアが表示されることになる。
【００７１】
図１２は、表示エリアｎの監視盤上での位置の一例を示す図である。図１２において、Ｘ及びＹは表示すべき監視盤のＸ軸及びＹ軸を表し、ＯはＸ軸及びＹ軸の原点、ｎは表示エリアｎを表している。Ｘｎ、Ｙｎは、それぞれ表示エリアｎの左下角に対応する監視盤のＸ座標及びＹ座標であり、監視盤の原点からみた表示エリアｎのＸ軸（横方向）位置及びＹ軸（縦方向）位置を表している。なお、本例では、表示エリアｎの左下角を基準点として表示エリアｎのＸ軸位置及びＹ軸位置を定めているが、表示エリアｎの基準点は左下角に限られず、どの位置を基準点としても良いことはいうまでもない。
【００７２】
Ｌｘ、Ｌｙは、それぞれ表示エリアｎのタッチパネル５における表示ウィンドウの横幅及び高さであり、Ｙ（ｎ＋１）は表示エリアｎの左上角に対応する監視盤のＹ座標である。｛Ｙ（ｎ＋１）−Ｙｎ｝が表示エリアｎとしてタッチパネル５上に表示される監視盤のＹ軸方向長さとなる。表示エリアｎの表示ウィンドウの高さＬｙと表示される監視盤のＹ軸方向の長さ｛Ｙ（ｎ＋１）−Ｙｎ｝との比である、Ｌｙ／｛Ｙ（ｎ＋１）−Ｙｎ｝が拡大率となる。Ｌｙが｛Ｙ（ｎ＋１）−Ｙｎ｝よりも小さいときには拡大率は１未満となり、縮小率を表すことになる。
【００７３】
これら表示エリアｎのＸ軸位置及びＹ軸位置、表示ウィンドウの横幅及び高さ、及び拡大率は、表示エリアｎの表示エリア管理情報として主記憶装置３に記憶されている。これらの情報に加えて、タッチパネル５に表示中であるか非表示中であるかの状態を示す表示状態についての情報や、選択履歴順に付される表示エリアの表示深度などの情報を表示エリア管理情報として、主記憶装置３に記憶しても良い。なお、タッチパネル５に表示される表示エリアｎの二次元画像には、その表示ウィンドウ内若しくは表示ウィンドウ外に表示エリアの番号である「ｎ」を併せて表示するのが好ましい。
【００７４】
表示エリアｎの監視盤上での位置はＸ軸方向及びＹ軸方向のいずれの方向へも移動可能である。このような移動は、図１３に示すとおり、タッチパネル５上で表示エリアｎの二次元画像を例えば指１本でフリックすることによって行われる。すなわち、表示エリアｎの二次元画像を指１本でフリックするタッチ入力があった場合、タッチサーバ６はそのタッチ入力を表示エリアｎのフリック方向とは逆方向への移動入力であると判断し、当該タッチ入力は表示エリアｎの変更入力として表示エリア変更入力受付手段６Ａ２によって受け付けられる。受け付けられた変更入力は中央処理装置２に送られ、中央処理装置２は、表示エリアｎのＸ座標及び／又はＹ座標をフリック方向とは逆方向に移動させる。なお、ここでのＸ座標及び／又はＹ座標の移動は、表示エリアｎについて主記憶装置３に記憶されている表示エリア管理情報を変更することによって行われるのではなく、表示エリアｎについてのＸ座標及び／又はＹ座標を一時記憶領域の中で変更することによって行われる。
【００７５】
中央処理装置２は、移動後のＸ座標及び／又はＹ座標と情報データに基づいて、主記憶装置３から対応する背景細分画像及び表示器画像を読み出し、二次元画像データ生成手段８へと送信する。二次元画像データ生成手段８は、移動後のＸ座標及びＹ座標に対応する表示エリアｎの二次元画像データを生成し、生成された二次元画像データは、画像データ記憶装置４に、さらには表示領域４ａへと送られ、移動後の二次元画像がタッチパネル５に表示される。
【００７６】
中央処理装置２による表示エリアｎのＸ座標及び／又はＹ座標の変更は少量ずつ複数回行われ、タッチパネル５に表示される表示エリアｎの二次元画像はフリック方向とは逆方向に徐々にスクロールするように表示される。スクロールする距離は、フリックの強さに応じて変化させるのが望ましく、軽いフリックの場合には短い距離だけ、強いフリックの場合には長い距離を移動させるのが望ましい。なお、フリックの強弱はタッチサーバ６が判別し、フリック方向についての情報とともに、表示エリア変更入力受付手段６Ａ２を介して中央処理装置２に送られる。また、スクロールの途中で、例えば指１本でスクロール中の二次元画像をタップすると、タップされた時点でスクロールを停止させるようにするのが望ましい。スクロール中のタップ入力は、タッチサーバ６によってスクロールの停止入力であると判断され、表示エリア変更入力受付手段６Ａ２を介して中央処理装置２に送られる。
【００７７】
また、タッチパネル５に表示される表示エリアｎの二次元画像は拡大、縮小が可能である。例えば図１４に示すように、当初はｓで示される領域に表示されていた二次元画像を表示エリアｎの表示ウィンドウ一杯に拡大することができる。このような拡大は、例えば、タッチパネル５に表示されている二次元画像を２本の指を用いてピンチアウトすることによって行われる。すなわち、タッチパネル５上で二次元画像をピンチアウトするタッチ入力があった場合、タッチサーバ６は、そのタッチ入力を表示エリア管理情報変更入力の一つである拡大入力であると判断し、当該入力は、表示エリア管理情報変更入力受付手段６Ａ２によって拡大入力として受け付けられ、中央処理装置２に送られる。
【００７８】
中央処理装置２は、表示エリア管理情報変更入力受付手段６Ａ２からの拡大入力に基づいて、表示エリアｎの拡大率を増大させ、増大した拡大率と情報データに基づいて、主記憶装置３から対応する背景細分画像及び表示器画像を読み出し、二次元画像データ生成手段８へと送信する。なお、ここでの拡大率の増大は、表示エリアｎについて主記憶装置３に記憶されている表示エリア管理情報を変更することによって行われるのではなく、表示エリアｎについての拡大率を一時記憶領域の中で増大させることによって行われる。二次元画像データ生成手段８は、増大後の拡大率に対応する表示エリアｎの二次元画像データを生成し、生成された二次元画像データは、画像データ記憶装置４に、さらには表示領域４ａへと送られ、拡大後の二次元画像がタッチパネル５に表示される。
【００７９】
中央処理装置２による表示エリアｎの拡大率の増大は少量ずつ複数回行われ、タッチパネル５に表示される表示エリアｎの二次元画像は徐々に拡大するように表示される。拡大率の増大量はピンチアウトにおける指２本間の距離の変化量に応じて変化させるのが望ましく、指２本間の距離の変化量が小さい場合には拡大率の増大量は比較的小さく、指２本間の距離の変化量が大きい場合には拡大率の増大量を比較的大きくするのが望ましい。
【００８０】
図１４に示すように、当初ｓで示される領域に表示されていた二次元画像を表示エリアｎの表示画面一杯に拡大した場合には、｛Ｙ（ｎ＋２）−Ｙｎ｝の長さが、表示エリアｎによって表示される監視盤のＹ軸方向長さとなり、表示エリアｎの表示画面の高さと表示される監視盤のＹ軸方向の長さの比である拡大率は、Ｌｙ／｛Ｙ（ｎ＋２）−Ｙｎ｝となる。
【００８１】
また、タッチパネル５に表示されている二次元画像を２本の指を用いてピンチインすることによって、表示エリアｎの二次元画像を縮小することが可能である。この縮小は、ピンチアウトがピンチインに変わり、拡大が縮小になることを除いて、上述したピンチアウトによる二次元画像の拡大と同じである。
【００８２】
なお、表示エリアｎが図１３に示されるように特定のＸ座標及びＹ座標に移動した状態で、或いは図１４に示されるように拡大（又は縮小）された状態で、表示されている表示エリアｎの二次元画像を例えば１本指で長押しすると、タッチサーバ６は、そのタッチ入力を表示エリア管理情報変更入力であると判断し、当該タッチ入力は、表示エリア管理情報変更入力受付手段６Ａ３によって表示エリア管理情報変更入力として受け付けられる。表示エリア管理情報変更入力受付手段６Ａ３は、受け付けた表示エリア管理情報変更入力を中央処理装置２に送信し、中央処理装置２は、タッチパネル５に表示されている表示エリアの表示エリア管理情報変更入力受信時におけるＸ座標及びＹ座標、表示ウィンドウの大きさ、及び拡大率によって、主記憶装置３の表示エリア管理情報記憶装置に記憶されている表示エリアｎについての表示エリア管理情報を更新する。監視盤画像表示方法に即していえば、表示エリア管理情報変更入力受付手段６Ａ３及び中央処理装置２によって実行される監視盤表示装置１における上記動作が、前記表示エリア１〜ｎのうち、少なくとも前記ディスプレイに表示中の表示エリアについて、その表示エリア管理情報の変更入力を受け付けるステップ、及び、受け付けた前記変更入力に基づいて、当該表示エリアについての前記表示エリア管理情報記憶装置に記憶されている表示エリア管理情報を更新するステップに相当する。
【００８３】
中央処理装置２は、既に表示エリアｎについての表示エリア管理情報が主記憶装置３に存在する場合には、表示エリア管理情報の更新を実行する前に、更新するか否かを確認するウィンドウをタッチパネル５に表示するようにするのが好ましい。タッチパネル５に表示されたウィンドウを介して、「更新する」を選択するタッチ入力があった場合には、表示エリア管理情報変更入力受付手段６Ａ３が当該入力信号を中央処理装置２に送り、中央処置装置２は当該入力信号に基づいて、既に主記憶装置３の表示エリア管理情報記憶領域に存在する表示エリアｎについての表示エリア管理情報の更新を実行する。
【００８４】
タッチパネル５に表示されたウィンドウを介して「更新しない」を選択するタッチ入力があった場合には、表示エリア管理情報変更入力受付手段６Ａ３が当該入力信号を中央処理装置２に送り、中央処置装置２は当該入力信号に基づいて、表示エリア管理情報を更新する表示エリアを選択する表示エリア選択ウィンドウをタッチパネル５に表示するようにするのが好ましい。表示エリア選択ウィンドウを介してタッチパネル５上で表示エリアｍ（但し、ｍは１からｎまでの整数）を選択するタッチ入力があったとき、表示エリア管理情報変更入力受付手段６Ａ３は当該入力信号を中央処理装置２に送り、中央処置装置２は当該入力信号に基づいて、タッチパネル５に表示されている表示エリアｎの現在のＸ座標及びＹ座標、表示ウィンドウの大きさ、及び拡大率によって、主記憶装置３に存在する選択された表示エリアｍについての表示エリア管理情報を更新する。表示エリアｍについての表示エリア管理情報が主記憶装置３に存在しない場合には、中央処理装置２は、選択された表示エリアｍについての表示エリア管理情報を新たに設定することになる。
【００８５】
以上のとおり、エリア表示モードにおいては、複数個の表示エリアにおける監視盤の二次元画像を適宜切り換えて自在にタッチパネル５に表示することができるので、監視盤上の関心のある箇所を予め表示エリアとして設定しておくことによって、広い監視盤の中から見たい箇所だけを取り出して、自在に移動、監視することが可能となる。このような機能は、監視盤画像をタブレット端末等の携帯端末における比較的小さなディスプレイパネルに表示させる上で極めて重要かつ有用な機能である。なお、本例においては設定される表示エリアの数ｎが８個の場合を例に説明したが、表示エリアの数ｎが８個に限られず、７以下又は９以上であっても良いことはいうまでもない。
【００８６】
＜Ｂ  エリア位置イメージ表示モード＞
このモードは、複数個の表示エリア１〜ｎが監視盤上のどの位置にどのような大きさで設定されているかを直感的に把握できるようにタッチパネル５に表示するモードである。
【００８７】
図１５はエリア表示モードからエリア位置イメージ表示モードへの切り換え動作を示す図である。すなわち、エリア表示モードにおいて、表示エリアｎがタッチパネル５の表示ウィンドウＷに表示されている状態で、表示されている二次元画像を例えば指２本で下向にフリックすると、表示エリアｎの二次元画像が表示ウィンドウＷの下方に向かって移動し、代わりに表示ウィンドウＷの上方からエリア位置イメージを表すエリア位置イメージ画像ＩＭが降りてきて、表示モードがエリア表示モードからエリア位置イメージ表示モードに切り替わる。監視盤表示装置１によるこの切り換え動作は、図１及び図７を参照しながら説明すると以下のように実行される。
【００８８】
エリア表示モードにおいて実行された上記指２本の下向フリックによるタッチ入力はタッチサーバ６によってエリア位置表示モードの選択入力であると判断され、エリア位置イメージ表示モード選択入力受付手段６Ｂによって受け付けられる。エリア位置イメージ表示モード選択入力受付手段６Ｂは、受け付けたエリア位置イメージ表示モード選択入力を中央処理装置２に送り、中央処理装置２は、主記憶装置３から監視盤の全エリア管理情報を読み出し、併せて対応する細分背景画像を主記憶装置３から読み出すとともに、受信した情報データに基づいて監視盤の全エリアに含まれる設備又は施設群の状態を表す表示器画像を主記憶装置３から読み出し、それらを二次元画像データ生成手段８に送信する。二次元画像データ生成手段８は、送られてきた情報に基づいて、監視盤の全エリアに対応する二次元画像データを生成する。監視盤の全エリアに対応する二次元画像データの生成は、基本的に表示エリア１〜ｎに対応する二次元画像データの生成と同様にして行われる。
【００８９】
それとともに中央処理装置２は、主記憶装置３から表示エリア１〜ｎについての表示エリア管理情報を読み出し、これをエリア枠画像データ生成手段９に送信する。エリア枠画像データ生成手段９は、中央処理装置２から受け取った表示エリア１〜ｎについての表示エリア管理情報に基づいて、各表示エリアの監視盤上での大きさ及び位置を表す図形データをエリア枠画像データとして生成する。
【００９０】
エリア枠画像データ生成手段９が生成したエリア枠画像データと、二次元画像データ生成手段８が生成した監視盤の全エリアに対応する二次元画像データとは、共にエリア位置イメージ画像データ生成手段１０に送られ、そこで重畳されて、エリア位置イメージ画像データが生成される。生成されたエリア位置イメージ画像データは、画像データ記憶装置４及びその表示領域４ａへと送られて、例えば、図１６に示すようなエリア位置イメージ画像ＩＭとなってタッチパネル５に表示される。エリア位置イメージ画像ＩＭにおいては、監視盤全体の二次元画像上に、表示エリア１〜ｎの監視盤上での位置と大きさに対応するエリア枠１〜ｎが重畳して表示されている。（なお、図１６では、便宜上、エリア枠は４個しか描いていない。）各エリア枠内若しくはその近傍には、図１６に示すように、各エリア枠に対応する表示エリアの番号を表示するのが好ましい。また、タッチパネル５に表示されるエリア位置イメージ画像ＩＭは、例えばタッチパネル５上で指２本でピンチアウト又はピンチインすることによって、適宜拡大、縮小が可能である。
【００９１】
監視盤表示方法に即していえば、これらの段階が、二次元画像データ生成ステップにおいて生成された二次元画像データであって、監視盤画像の全エリアに対応する二次元画像データに、前記表示エリア１〜ｎのそれぞれに相当するエリア枠を表示する画像データを重畳させ、エリア位置イメージ画像データを生成するエリア位置イメージ画像データ生成ステップ、及び、表示モードとして、エリア位置イメージ表示モードが選択されたとき、前記エリア位置イメージ画像データ生成ステップにおいて生成された前記エリア位置イメージ画像データを前記ディスプレイに出力するステップに相当する。
【００９２】
なお、本例においては、中央処理装置２とエリア枠画像データ生成手段９、及びエリア位置イメージ画像データ生成手段１０とは、それぞれ、ハードウエアとして別体のものとして存在しているが、エリア枠画像データ生成手段９及び／又はエリア位置イメージ画像データ生成手段１０は、中央処理装置２が所定のプログラムの下に実行する機能の一つとして存在していても良い。また、本例においては、エリア位置イメージ画像ＩＭは監視盤の全エリアを包含する画像とされているが、監視盤を例えば２分割或いは３分割して、その分割された領域毎にエリア位置イメージ画像を作成し、タッチパネル５に表示するようにしても良い。そのような分割は、主記憶装置３に全エリア管理情報として記憶されている監視盤全体の幅（Ｘ軸方向の長さ）及び／又は高さ（Ｙ軸方向の長さ）を適宜の位置で分割して主記憶装置３から読み出し、対応する背景細分画像、表示器画像とともに二次元画像データ生成手段８に送ることによって行うことができる。
【００９３】
エリア位置イメージ表示モードからエリア表示モードに戻るには、タッチパネル５に表示されているエリア位置イメージ画像ＩＭ上で、指２本を上向にフリックすれば良い。エリア位置イメージ画像ＩＭ上での指２本の上向フリックによるタッチ入力は、タッチサーバ６によってエリア表示モードの選択入力であると判断され、エリア表示モード選択入力受付手段６Ａによって受け付けられる。エリア表示モード選択入力受付手段６Ａが受け付けたエリア表示モード選択入力を中央処理装置２に送ると、中央処理装置２は従前のエリア表示モード下での動作を再開し、視覚的には、タッチパネル５の表示ウィンドウＷからエリア位置イメージ画像ＩＭが上向きに移動して消え去り、代わりに、エリア位置イメージ表示モードが選択される直前に表示されていた表示エリアに対応する二次元画像がタッチパネル５のウィンドウＷに表示される。
【００９４】
因みに、エリア位置イメージ表示モードが選択される直前に表示されていた表示エリアとは、タッチサーバ６における表示エリア選択入力受付手段６Ａ１が受け付けた最新の表示エリア選択入力によって選択された表示エリアであり、時間的には最も後に選択された表示エリアである。
【００９５】
エリア位置イメージ表示モードからエリア表示モードへの切り換えは、タッチパネル５に表示されているエリア位置イメージ画像ＩＭ上で特定の表示エリアに対応するエリア枠内を、例えば指２本でタップすることによっても行うことができる。すなわち、図１６に示すようなエリア位置イメージ画像上で、例えばＮｏ．３のエリア枠内を指２本でタップすると、そのタッチ入力は、タッチサーバ６によってイメージエリア選択入力であると判断され、イメージエリア選択入力受付手段６Ｂ１によって受け付けられる。監視盤画像表示方法に即していえば、これが、エリア位置イメージ表示モードにおいて、表示エリア１〜ｎのいずれかを選択するイメージエリア選択入力を受け付けるステップに相当する。
【００９６】
イメージエリア選択入力受付手段６Ｂ１がイメージエリア選択入力を受け付けると、タッチサーバ６はエリア表示モードが選択されたと判断し、イメージエリア選択入力は、エリア表示モード選択入力受付手段６Ａによってエリア表示モード選択入力としても受け付けられる。イメージエリア選択入力受付手段６Ｂ１及びエリア表示モード選択入力受付手段６Ａが受け付けたイメージエリア選択入力及びエリア表示モード選択入力は中央処理装置２に送られ、中央処理装置２は従前のエリア表示モード下での動作を再開するとともに、イメージエリア選択入力で選択された表示エリアＮｏ．３を、タッチサーバ６における表示エリア選択入力受付手段６Ａ１が受け付けた最新の表示エリア選択入力によって選択された表示エリアであると判断し、換言すれば、時間的に最も後に選択された表示エリアであると判断して、エリア位置イメージ表示画像ＩＭに代えて、選択された表示エリアＮｏ．３に対応する二次元画像をタッチパネル５に表示する。
【００９７】
このような監視盤表示装置１の動作は、監視盤表示方法に即していえば、イメージエリア選択入力を受け付けたとき、表示モードとして、前記エリア表示モードが選択されたと判断するとともに、前記イメージエリア選択入力で選択された表示エリアを時間的に最も後に選択された表示エリアであると判断するステップに相当する。
【００９８】
監視盤画像表示装置又は監視盤画像表示方法が上記のようなエリア位置イメージ表示モードを有している場合には、タッチパネル５に図１６に示すようなエリア位置イメージ表示画像を適宜表示させることによって、複数個の表示エリア１〜ｎの位置関係や表示領域の大きさを直感的かつ視覚的に把握することができ、また、タッチパネル５に表示されたエリア位置イメージ画像上で関心のある表示エリアをタップするだけで、直ちに、その表示エリアの二次元画像をタッチパネル５に表示させ、確認することができる。このようにエリア位置イメージ表示モードが有する機能は、エリア表示モードが有する機能と相俟って、広い監視盤をタブレット端末等が備える比較的小さなディスプレイパネルに表示させて監視する上で極めて重要かつ有用な機能である。
【００９９】
＜Ｃ  タイル表示モード＞
このモードは、登録された複数個の表示エリアを縦横にタイル状に並んだ形態でタッチパネル５に表示させ、複数個の表示エリアを一覧表示可能にするとともに、タイル状に並んだ形態で一覧表示された複数個の表示エリアの中から適宜の表示エリアを選択することによって、エリア表示モードに移行して、選択された表示エリアをタッチパネル５に表示させるモードである。
【０１００】
図１７はエリア位置イメージ表示モードからタイル表示モードへの切り換え動作を示す図である。すなわち、エリア位置イメージ表示モードにおいて、エリア位置イメージ画像ＩＭがタッチパネル５の表示画面に表示されている状態で、表示されているエリア位置イメージ画像を、例えば指２本で下向にフリックすると、エリア位置イメージ画像ＩＭがタッチパネル５の下方に移動し、代わりにタッチパネル５の上方からタイル表示画像ＴＭが降りてきて、表示モードがエリア位置イメージ表示モードからタイル表示モードに切り替わる。この切り替わりは、図１及び図７を参照しながら説明すると以下のようにして実行される。
【０１０１】
エリア位置イメージ表示モードにおいて実行された上記指２本の下向フリックによるタッチ入力はタッチサーバ６によってタイル表示モードの選択入力であると判断され、タイル表示モード選択入力受付手段６Ｃによって受け付けられる。タイル表示モード選択入力受付手段６Ｃは受け付けたタイル表示モード選択入力を中央処理装置２に送り、中央処理装置２は送られてきたタイル表示モード選択入力に基づいて、まず、主記憶装置３からタイル表示エリア管理情報を読み出し、併せて各タイル表示エリアに対応する細分背景画像を主記憶装置３から読み出すとともに、さらに受信した情報データに基づいて各タイル表示エリアに含まれる設備又は施設群の状態を表す表示器画像を主記憶装置３から読み出し、それらを二次元画像データ生成手段８に送信する。
【０１０２】
二次元画像データ生成手段８は、送られてきた情報に基づいて、エリア表示モードにおけると同様の手順で、各タイル表示エリアに対応する二次元画像データを生成し、生成した二次元画像データを画像データ記憶装置４に記憶する。中央処理装置２は、画像データ記憶装置４に記憶されている複数個のタイル表示エリアに対応する複数個の二次元画像データを、指定された列数のタイル状に並べて画像データ記憶装置４の表示領域４ａへと送り、タッチパネル５に表示させる。
【０１０３】
図１８は上記のようにしてタッチパネル５に表示されるタイル表示画像Ｔの一例を示す図である。図１８に示すとおり、複数個のタイル表示エリア１、２、３・・・に対応する複数個の二次元画像（１）、（２）、（３）・・・が横３列に並んで表示されている。タイル表示エリアには、後述するタイル表示エリア登録入力によって登録された登録順に１からｐ（但し、ｐは２以上の整数）までの連続番号を付すのが好ましく、タイル表示に際しては、複数個のタイル表示エリアに対応する二次元画像をタイル表示エリアの登録順に並べて表示するのが好ましい。なお、登録されているタイル表示エリアの個数が多すぎて、タイル表示される二次元画像の行数が増え、全ての二次元画像をタッチパネル５の表示画面上に一度には表示仕切れない場合には、例えば指１本の上下方向のドラッグによってタッチパネル５の表示画面をスクロールさせ、タイル状に並んだ全ての二次元画像を順次タッチパネル５上に表示させるようにすれば良い。
【０１０４】
監視盤画像表示方法に即していえば、上述したタイル表示モードの選択からタイル表示画像のタッチパネル５への表示までの動作が、表示モードとして、タイル表示モードが選択されたとき、二次元画像データ生成ステップにおいて生成された二次元画像データであって、前記タイル表示エリア管理情報記憶装置に記憶されているタイル表示エリア１〜ｐ（但し、ｐは２以上の整数）のそれぞれに対応する二次元画像データ１〜ｐを前記ディスプレイに出力し、前記ディスプレイ上に縦横にタイル状に並べて表示するステップに相当することになる。
【０１０５】
なお、タイル表示される二次元画像は横３列に限られない。図１９に示すように、タイル表示画像ＴＭ上で例えば２本指でピンチアウトすることによって、図中上向きの矢印で示すように、列の数を４→３→２→１と減少させ、またピンチインすることによって、図中下向きの矢印で示すように、列の数を１→２→３→４と増大させることができる。すなわち、タイル表示画像ＴＭ上での２本指でのピンチアウト又はピンチインは、タッチサーバ６によってタイル表示様式変更入力であると判断され、タイル表示様式変更入力受付手段６Ｃ２によってタイル表示様式変更入力として受け付けられる。受け付けられたタイル表示様式変更入力は中央処理装置２に送られ、中央処理装置２は、画像データ記憶装置４の表示領域４ａに送られるタイル状に並べられた複数個の二次元画像の列数及び大きさを変更する。
【０１０６】
タイル表示モードからエリア位置イメージ表示モードに戻るには、タッチパネル５に表示されているタイル表示画像ＴＭ上で、指２本を上向にフリックすれば良い。タイル表示画像ＴＭ上での指２本の上向フリックによるタッチ入力は、タッチサーバ６によってエリア位置イメージ表示モードの選択入力であると判断され、エリア位置イメージ表示モード選択入力受付手段６Ｂによって受け付けられる。エリア位置イメージ表示モード選択入力受付手段６Ｂが受け付けたエリア位置イメージ表示モード選択入力を中央処理装置２に送ると、中央処理装置２は従前のエリア位置イメージ表示モード下での動作を再開する。視覚的には、タッチパネル５の表示画面からタイル表示画像ＴＭが上向きに移動して消え去り、代わりに、エリア位置イメージ画像ＩＭが画面下方から上昇してタッチパネル５に表示される。
【０１０７】
タイル表示モードからエリア表示モードに直接切り換えることも可能である。すなわち、図１８又は図１９に示すようなタイル表示画像ＴＭ上で、いずれかのタイル表示エリアに対応する二次元画像を、例えば指２本でタップすると、そのタッチ入力は、タッチサーバ６によって表示タイル選択入力であると判断され、表示タイル選択入力受付手段６Ｃ１によって受け付けられる。監視盤画像表示方法に即していえば、監視盤画像表示装置１のこの動作が、タイル表示モードにおいて、タイル表示エリア１〜ｐの中から一つのタイル表示エリアを選択する表示タイル選択入力を受け付けるステップに相当することになる。
【０１０８】
表示タイル選択入力受付手段６Ｃ１が表示タイル選択入力を受け付けると、タッチサーバ６はエリア表示モードが選択されたと判断し、表示タイル選択入力受付手段６Ｃ１が受け付けた表示タイル選択入力は、エリア表示モード選択入力受付手段６Ａによってエリア表示モード選択入力としても受け付けられる。表示タイル選択入力受付手段６Ｃ１が受け付けた表示タイル選択入力、及び、エリア表示モード選択入力受付手段６Ａが受け付けたエリア表示モード選択入力は共に中央処理装置２に送られ、中央処理装置２は従前のエリア表示モード下での動作を再開する。併せて、中央処理装置２は、主記憶装置３に記憶されている表示エリア管理情報のうち、タッチサーバ６における表示エリア選択入力受付手段６Ａ１が受け付けた最新の表示エリア選択入力によって選択された表示エリア、換言すれば、時間的に最も後に選択された表示エリアについての少なくとも監視盤上での位置、表示ウィンドウの大きさ、及び拡大率に管理情報を、上記表示タイル選択入力で選択されたタイル表示エリアの対応するタイル表示エリア管理情報によって更新する。これにより、表示タイル選択入力で選択されたタイル表示エリアが、タッチサーバ６における表示エリア選択入力受付手段６Ａ１が受け付けた最新の表示エリア選択入力によって選択された表示エリア、換言すれば、時間的に最も後に選択された表示エリアとしてタッチパネル５に表示されることになる。
【０１０９】
このような監視盤表示装置１の動作は、監視盤表示方法に即していえば、表示タイル選択入力を受け付けたとき、表示モードとして、前記エリア表示モードが選択されたと判断するとともに、時間的に最も後に選択された表示エリアの表示エリア管理情報のうち、少なくとも、監視盤上での位置、表示ウィンドウの大きさ、及び拡大率を、選択されたタイル表示エリアの管理情報に含まれる対応する情報で更新するステップに相当する。
【０１１０】
なお、タイル表示エリアの登録は、エリア表示モード及びエリア位置イメージ表示モードのいずれにおいても可能である。すなわち、エリア表示モードにおいて、タッチパネル５上に表示されている表示エリアの二次元画像を例えば２本指で長押しするか、エリア位置イメージ表示モードにおいて、表示されているエリア位置イメージ画像上の特定のエリア枠内を同じく２本指で長押しすると、それらのタッチ入力は、タッチサーバ６によってタイル表示エリア登録入力であると判断され、エリア表示モードにおいてはタイル表示エリア登録入力受付手段６Ａ４によって、また、エリア位置イメージ表示モードにおいてはタイル表示エリア登録入力受付手段６Ｂ２によって受け付けられる。監視盤表示装置１におけるこの動作は、監視盤表示方法に即していえば、表示エリア１〜ｎのいずれかをタイル表示エリアの一つとして選択するタイル表示エリア登録入力を受け付けるステップに相当する。
【０１１１】
タイル表示エリア登録入力受付手段６Ａ４またはタイル表示エリア登録入力受付手段６Ｂ２によって受け付けられたタイル表示エリア登録入力は中央処理装置２へと送られ、中央処理装置２は、当該タイル表示エリア登録入力で選択された表示エリアの表示エリア管理情報のうち、少なくとも、監視盤上での位置、表示ウィンドウの大きさ、及び拡大率についての情報を、タイル表示エリア管理情報として主記憶装置３に記憶し登録する。このとき、登録されるタイル表示エリアには、例えば登録順に１〜ｐ（但し、ｐは２以上の整数）の番号を付すのが好ましい。監視盤表示方法に即していえば、この動作が、タイル表示エリアの一つとして選択された前記表示エリアの被選択時における表示エリア管理情報のうち、少なくとも監視盤上での位置、表示ウィンドウの大きさ、及び拡大率に関する情報を、タイル表示エリアｐの管理情報ｐとしてタイル表示エリア管理情報記憶装置に記憶するステップに相当する。なお、タイル表示エリアの登録は異常通知モードにおいても可能であるが、これについては後述する。
【０１１２】
また、上記の例においては、タイル表示モードは、エリア位置イメージ表示モードから選択、切り換えが可能とされているが、エリア表示モードからも直接にタイル表示モードを選択、移行できるようにしても良い。すなわち、例えば、エリア表示モードにおいて表示されている表示エリアの二次元画像上で、指２本で上向にフリックすることによって、エリア表示モードのウィンドウがタッチパネル５の上方に消え去り、代わりに、タイル表示モードのウィンドウがタッチパネル５の下方から現れ、タッチパネル５に表示されるようにしても良い。
【０１１３】
以上のとおり、タイル表示モードは、予め登録された複数個の表示エリアをタイル状に並べて一覧に供するモードであり、特に注目して監視すべきエリアや、時間を置いて再度監視したいエリアなどをタイル表示エリアとして登録しておくことによって、随時、そのエリアの監視盤の二次元画像を選択してディスプレイパネルに表示させることが可能となる。このようにタイル表示モードが有する機能は、エリア表示モード及びエリア位置イメージ表示モードが有する機能と相俟って、広い監視盤をタブレット端末等が備える比較的小さなディスプレイパネルに表示させて監視する上で極めて重要かつ有用な機能である。
【０１１４】
＜Ｄ  異常通知モード＞
このモードは、監視対象物である施設又は設備群に異常が発生した場合に、異常発生施設又は設備を含む監視盤エリアの二次元画像をいち早くタッチパネル５に表示させて、発生した事故などの異常に対する迅速な対応を可能にするモードである。
【０１１５】
異常通知モード下において監視盤画像表示装置１は以下のように動作する。すなわち、受信手段７が受信した情報データ中に、監視対象となる施設又は設備群のいずれかについて異常発生を知らせる１又は複数のデータが含まれていると、中央処理装置２は、その異常発生を知らせる１又は複数のデータに基づいて表示モードを異常通知モードに切り換える手段を有している。なお、中央処理装置２に独自の異常発生判断のアルゴリズムを備えさせ、受信手段７が受信した情報データの中に異常を示す１又は複数のデータが含まれているか否かを中央処理装置２が判断し、含まれていると判断した場合に異常通知モードに切り換えるようにしても良い。また、両者を併用して、情報データ中に異常発生を知らせるデータを含まれている場合、又は中央処理装置２において情報データの中に異常を示すデータが含まれていると判断された場合に、表示モードを異常通知モードに切り換えるようにしても良い。中央処理装置２のこの動作が、監視盤表示方法に即して言えば、表示モードを異常通知モードに切り換えるステップに相当する。
【０１１６】
受信手段７が受信した情報データの中に異常発生を知らせる１又は複数のデータが含まれているか、或いは含まれていると判断された場合、中央処理装置２は、その情報データを通常どおりに主記憶装置３に記憶させるとともに、異常発生位置同定手段１２に送り、異常発生位置同定手段１２は、送られてきた情報データに基づいて、異常が発生したと思われる施設又は設備の監視盤上での位置（Ｘ座標及びＹ座標）を同定する。この同定動作が、異常を示す情報データに対応する１又は複数の異常発生施設又は設備の監視盤上での位置を求めるステップに相当する。同定された異常が発生したと思われる施設又は設備の監視盤上での位置は異常発生位置記憶装置１３に送られ、記憶される。
【０１１７】
併行して中央処理装置２は、異常表示エリア管理情報記憶装置１１から予め設定されている異常表示エリアの監視盤上での位置、表示ウィンドウの大きさ、及び拡大率などの管理情報を読み出すとともに、これらの管理情報に基づいて主記憶装置３から対応する背景細分画像を読み出し、さらに、受信手段７が受信した情報データに基づいて主記憶装置３から対応する表示器画像を読み出して、それらを二次元画像生成手段８に送る。二次元画像生成手段８は、表示エリアの二次元画像を生成するのと同様にして、異常表示エリアの二次元画像を生成する。
【０１１８】
中央処理装置２は、さらに、異常表示エリア管理情報記憶装置１１に対して、記憶されている異常表示エリアの管理情報を未確認異常発生方向同定手段１４に伝達するように命令する。未確認異常発生方向同定手段１４には、異常が発生したと思われる施設又は設備の監視盤上での位置（Ｘ座標及びＹ座標）についての情報が異常発生位置記憶装置１３から送られてきており、この情報と、異常表示エリア管理情報記憶装置１１から送られてきた異常表示エリアの管理情報とに基づいて、未確認異常発生方向同定手段１４は、異常が発生したと思われる１又は複数の施設又は設備の中に、当該異常表示エリアに含まれない施設又は設備が存在する場合には、それらの施設又は設備を未確認異常発生施設又は設備として、それらが当該異常表示エリアからみて、監視盤上で、どの方向に存在するかを同定する。
【０１１９】
この同定は、例えば図２０に示すような基準で行われる。すなわち、図２０においてＥは異常表示エリアであり、異常表示エリアＥは監視盤上の特定の位置に、特定の表示ウィンドウの大きさで設定され、異常表示エリア管理情報記憶装置１１に記憶されている。この異常表示エリアＥの周囲を図２０に示すようにアからクまで８つの象限に分け、未確認異常発生方向同定手段１４は、異常が発生したと思われる１又は複数の施設又は設備がどの象限に存在するのかを同定する。例えば、異常が発生したと思われる１又は複数の施設又は設備が２個あり、それらがそれぞれ象限アと象限オに存在する場合には、未確認異常発生施設又は設備は、象限アに１個、象限オに１個と同定されることになる。象限アに異常が発生したと思われる１又は複数の施設又は設備が２個存在する場合には、未確認異常発生施設又は設備は、象限アに２個と同定されることになる。
【０１２０】
因みに、異常が発生したと思われる１又は複数の施設又は設備の中に、異常表示エリアＥに含まれるものが存在する場合には、それらの施設又は設備は、異常表示エリアＥの二次元画像内に表示されるので、未確認異常発生施設又は設備の中には含めなくて良い。また、異常が発生したと思われる１又は複数の施設又は設備のうち、異常表示エリアＥに含まれるものについては、異常発生位置記憶装置１３に記憶されている情報に確認済みのフラグを立てるのが好ましい。これらの動作が、監視盤画像表示方法に即していえば、１又は複数の異常発生施設又は設備のうち、異常表示エリアＥに含まれない残余の異常発生施設又は設備を未確認異常発生施設又は設備として、それらの監視盤上での位置と、異常表示エリア管理情報とに基づいて、異常表示エリアＥからみた未確認異常発生施設又は設備の監視盤上での方向を異常発生方向として求める異常発生方向同定ステップに相当する。
【０１２１】
未確認異常発生方向同定手段１４が同定した未確認異常発生施設又は設備の方向と個数は、オブジェクト生成手段１５に送られ、そこで対応する画像データに変換され、異常表示画像データ生成手段１６において、二次元画像生成手段８から送られてきた異常表示エリアＥの二次元画像と重畳され、異常表示画像データが生成される。生成された異常表示画像データは画像データ記憶装置４、その表示領域４ａへと送られ、タッチパネル５に異常表示画像ＥＭが表示されることとなる。これらの動作が、二次元画像データ生成ステップにおいて生成された二次元画像データであって、異常表示エリアＥに対応する二次元画像データに前記異常発生方向を示す１又は複数オブジェクトに対応する画像データを重畳させて、異常表示画像データを生成する異常表示画像データ生成ステップ、及び、前記異常表示画像データ生成ステップにおいて生成された前記異常表示画像データをディスプレイに表示するステップに相当する。
【０１２２】
図２１は、タッチパネル５に表示される異常表示画像ＥＭの一例を示す図である。図２１に示すとおり、タッチパネル５の中央部分には異常表示エリアＥの二次元画像が表示され、その周囲には、上述したア〜クの８つの象限に対応する矢印のオブジェクトＯＢが表示されている。すなわち、異常表示エリアＥからみて、監視盤上で矢印が指し示す方向に未だ確認していない未確認異常発生施設又は設備が存在することが表示される。矢印の内部に表示された数字は、その矢印が指し示す方向に存在する未確認異常発生施設又は設備の個数である。図２１においては、象限アに対応する矢印が示す方向には未確認異常発生施設又は設備が１個存在し、象限イに対応する矢印が示す方向には未確認異常発生施設又は設備が２個、象限ウ、エ、オ、カ、キ、クには、それぞれ、１個、１個、３個、１個、１個、２個存在することが分かる。
【０１２３】
なお、未確認異常発生施設又は設備の方向を示すオブジェクトＯＢは図２１に示す矢印に限られず、どのようなオブジェクトを用いても良い。また、存在する未確認異常発生施設又は設備の個数は、数字に代えてオブジェクトの個数や大きさで表示しても良いし、不要であれば表示しなくても良い。特に重大と思われる異常が発生している施設又は設備の方向を示すオブジェクトには、他の方向を示すオブジェクトと異なる色彩を付したり、点滅させたりして、監視盤利用者の注意を喚起するようにしても良い。
【０１２４】
異常表示エリアＥに異常が発生したと思われる施設又は設備が含まれている場合には、異常表示エリアＥに対応する監視盤の二次元画像を見ることによって、監視盤の利用者は異常発生の有無乃至は程度の確認と、必要であればその対応を取ることができる。一方、異常表示エリアＥに含まれない未確認異常発生施設又は設備の確認は以下のようにして行われる。
【０１２５】
すなわち、例えば、象限アに対応する矢印方向に位置する未確認異常発生施設又は設備群を確認する場合には、図２１に示すタッチパネル５上に表示された異常表示画像ＥＭにおいて、象限アに対応する方向の矢印のオブジェクトを、例えば指１本でタップすれば良い。このタッチ入力は、タッチサーバ６によって異常発生方向選択入力であると判断され、異常発生方向選択入力受付手段６Ｅ１によって受け付けられる。異常発生方向選択入力受付手段６Ｅ１が受け付けた異常発生方向選択入力は、その選択された方向についての情報とともに中央処理装置２に送られる。
【０１２６】
中央処理装置２は、異常発生位置記憶装置１３に記憶されている１又は複数個の異常発生位置の中で、異常発生方向選択入力受付手段６Ｅ１が受け付けた異常発生方向に対応する象限アに存在し、確認済みのフラグが付されておらず、かつ、監視盤上で現在の異常表示エリアＥに最も近い異常発生位置を選択し、その選択された異常発生位置が、異常表示エリアＥに包含されるように、異常表示エリア管理情報記憶装置１１に記憶されている異常表示エリアＥの管理情報のうち、少なくとも監視盤上での位置（Ｘ座標及びＹ座標）を更新する。さらに、中央処理装置２は、更新後の異常表示エリアＥに包含される異常発生位置については、異常発生位置記憶装置１３に記憶されている情報に確認済みのフラグを立て、異常発生位置記憶装置１３は、確認済みのフラグのある異常発生位置については、その監視盤上での位置（Ｘ座標及びＹ座標）についての情報を未確認異常発生方向同定手段１４には送信しない。
【０１２７】
図２２は、上記のようにして更新された異常表示エリアＥの管理情報に基づいて生成され、タッチパネル５に表示される異常表示画像ＥＭの一例を示すものである。図２２に示すとおり、異常表示エリアＥの管理情報が更新され、異常表示エリアＥの監視盤上での位置が更新前の異常表示エリアＥからみて象限アに存在した異常発生施設又は設備を包含する位置へと移動したので、象限アに存在した異常発生施設又は設備は、今や、更新された異常表示エリアＥ内に存在している。また、更新前に象限アに存在した異常発生施設又は設備については、異常発生位置記憶装置１３に確認済みのフラグが立ち、その監視盤上での位置情報は、未確認異常発生方向同定手段１４には送られないので、更新後の異常表示画像ＥＭを表示するタッチパネル５において、象限アに対応する方向には最早、未確認異常発生施設又は設備の存在を示す矢印のオブジェクトは表示されていない。
【０１２８】
また、更新前の図２１においては、象限イ及び象限クに対応する方向にそれぞれ２個の異常発生施設又は設備が存在したが、異常表示エリアＥが移動した結果、それらのうちの一部は、移動後の異常表示エリアＥからみた位置が変化することになる。すなわち、移動前は象限イ又は象限クに存在した未確認異常発生施設又は設備は、移動後の異常表示エリアＥから見た場合には象限ウ又は象限キに対応する方向に存在することになり、図２２に示すように、象限ウ又は象限キに対応する方向に存在する異常発生施設又は設備の数は各１個から各２個へと増加し、その一方で、象限イ又は象限クに対応する方向に存在する異常発生施設又は設備の数は各２個から各１個へと減少している。
【０１２９】
但し、一旦は異常表示エリアＥ内に表示させた異常発生施設又は設備であっても、後に再度確認することが予想されるものについては、例えば、当該異常発生施設又は設備を包含する異常表示エリアＥが表示されている二次元画像上で指３本でタップすることによって、当該異常発生施設又は設備について、異常発生位置記憶装置１３に立てられている確認済みのフラグを消去することができるようにしておくのが望ましい。こうすることによって、一旦確認した後に他の未確認異常発生施設又は設備を包含する異常表示エリアＥに移動した後であっても、再び、該当する矢印オブジェクトを選択することによって、関心を残した異常発生施設又は設備を包含する異常表示エリアＥに戻ってくることができる。
【０１３０】
このように、異常通知モードにおいては、タッチパネル５に表示される異常表示画像ＥＭには、異常表示エリアＥの二次元画像とともに、未確認異常発生施設又は設備が存在する方向と数を表すオブジェクトＯＢが表示されるので、現在表示されている異常表示エリアＥ内に存在する異常発生施設又は設備の状態を確認することができる上に、現在表示されている異常発生施設又は設備以外に、どちらの方向に幾つの未確認異常発生施設又は設備が存在するのかを知ることができる。そして、異常表示画像ＥＭ上で、オブジェクトを選択することによって、選択した方向に存在する異常発生施設又は設備を含む監視盤画像をタッチパネル５に表示させて、その状態を確認することが可能となる。また、一旦、異常表示画像ＥＭとしてタッチパネル５に表示させた異常発生施設又は設備は、確認済みの異常発生施設又は設備として、その存在方向と数が異常表示画像ＥＭ上に表示されなくなるので、同時に複数の施設又は設備群において異常が発生した場合であっても、異常発生が疑われる全ての施設又は設備を漏れなく、確実に、監視盤上で確認することが可能となる。
【０１３１】
なお、タッチパネル５に表示される異常表示画像ＥＭに含まれる異常表示エリアＥの二次元画像は、エリア表示モードにおける表示エリアｎの二次元画像と同様に、監視盤上での位置の移動、拡大、縮小が可能である。例えば、表示された異常表示エリアＥの二次元画像上で指１本を用いてフリックすることによって、異常表示エリアＥの監視盤上での位置はフリック方向とは逆方向に移動する。また、指２本でピンチアウト又はピンチインすることによって、異常表示エリアＥの二次元画像は拡大、又は縮小する。このような動作は、全て、タッチサーバ６と中央処理装置２によって行われる。移動後の異常表示エリアＥの監視盤上でのＸ座標及びＹ座標、又は拡大、縮小後の異常表示エリアＥの拡大率に基づいて、異常表示エリア管理情報記憶装置１１に記憶されている異常表示エリア管理情報を更新するようにしても良いし、或いは、移動後、又は拡大或いは縮小後の異常表示画像ＥＭを、例えば指２本でタップするタッチ入力を待って、異常表示エリア管理情報記憶装置１１に記憶されている異常表示エリア管理情報を更新するようにしても良い。
【０１３２】
さらに、異常通知モードにおいては、タッチパネル５に表示させた異常表示エリアＥを適宜タイル表示エリアとして登録することも可能である。すなわち、異常通知モードにおいて、タッチパネル５上に表示されている異常表示画像ＥＭ内の異常表示エリアＥの二次元画像を、例えば２本指で長押しすると、そのタッチ入力は、タッチサーバ６によってタイル表示エリア登録入力であると判断され、タイル表示エリア登録入力受付手段６Ｅ３によって受け付けられる。その後は、先にエリア表示モード又はエリア位置イメージ表示モードにおけるタイル表示エリアの登録について説明したのと同じ手順で、表示されている異常表示エリアＥの少なくとも、監視盤上での位置、表示ウィンドウの大きさ、及び拡大率についての情報が、タイル表示エリア管理情報として主記憶装置３に記憶され、登録される。これにより、異常表示画像ＥＭ内に表示させた施設又は設備であっても、後に再度確認したいものについては、その施設又は設備を包含する異常表示エリアＥをタイル表示エリアとして登録しておくことによって、後の再確認が可能となる。
【０１３３】
なお、全ての異常発生施設又は設備が順次異常表示エリアに包含され、異常表示画像としてタッチパネル５に表示されると、中央処理装置２は、タッチパネル５上に異常通知モード解除の選択ウィンドウを表示し、異常通知モード解除の選択入力を待って、中央処理装置２は異常通知モードを解除し、異常通知モードに移行する直前に行っていた動作を再開する。
【０１３４】
＜Ｅ  再生表示モード＞
このモードは、過去に受信し、記憶した情報データに基づいて、監視盤表示装置１を動作させ、また、監視盤表示方法を実行させるモードである。
【０１３５】
再生表示モードへの移行は、例えば、タッチパネル５に図１８に示すようなタイル表示画像が表示されているタイル表示モードにおいて、表示されているタイル表示画像を、例えば指２本で更に下向にフリックすることによって行うことができる。タイル表示画像を指２本で下向にフリックすると、タッチサーバ６は、そのタッチ入力を再生表示モード選択入力であると判断し、モードを再生表示モードに切り換える。
【０１３６】
再生表示モードにおいては、受信手段７が受信する情報データの代わりに主記憶装置３から時系列的に読み出し再生される過去の情報データが用いられる点を除いて、これまでに説明したのと同様の各モードが実行される。すなわち、中央処理装置２は、タッチサーバ６から再生表示モード選択入力の送信があると、現在実行中の動作を中止し、タッチパネル５に読み出し再生範囲の指定ウィンドウを表示させる。主記憶装置３に記憶されている情報データには、時刻情報又は受信時刻情報が含まれているので、読み出し再生する情報データの範囲を年、月、週、日、時間、又は分単位で指定することが可能である。
【０１３７】
読み出し再生範囲の指定を受けた中央処理装置２は、受信手段７が受信する情報データに代えて、指定された範囲の情報データを主記憶装置３から読み出し再生して、当該再生された情報データに基づいてエリア表示モード、エリア位置イメージ表示モード、タイル表示モード、及び異常通知モードを実行する。具体的には、中央処理装置２は、再生された情報データに基づいて、主記憶装置３から対応する表示器画像を読み出して二次元画像生成手段８に送り、二次元画像生成手段は、読み出し再生された情報データに基づいて、二次元画像データを生成することになる。また、読み出し再生された情報データ中に異常を示すデータが存在する場合には、その異常を示すデータに基づいて、中央処理装置２がモードを異常通知モードに切り換え、上述した異常通知モードが実行される。換言すれば、再生された情報データに基づいて、前記二次元画像データ生成ステップが実行され、又、表示モードを異常通知モードに切り換えるステップが実行されることとなる。なお、再生表示モード下においてはタッチパネル５に常時再生中止の選択ボタンを表示しておくのが望ましい。
【０１３８】
監視盤表示装置１及び監視盤表示方法が上記のような再生表示モードを備える場合には、過去の情報データを適宜読み出し再生して、エリア表示モード、エリア位置イメージ表示モード、タイル表示モード、及び異常通知モードを実行させて、監視対象施設又は設備群に発生した過去の事象を再現、再確認することが可能である。しかも、再現、再確認時においても、表示エリアの選択や、エリア位置イメージ画像ＩＭの表示、タイル表示エリアの登録、異常発生施設又は設備の確認などを自由に行うことができるので、過去の事象をまた別の角度から検討、解析することが可能となる。再生表示モードは、タブレット端末等の比較的小型のディスプレイに大きな監視盤画像を表示させる上で、極めて重要かつ有用な機能である。
【０１３９】
以上の説明では、ディスプレイとしてはタッチ入力デバイスを備えたタッチパネルを用いる場合を例に説明したが、本発明の監視盤表示装置及び監視盤表示方法に用いられるディスプレイはタッチパネルに限られない。また、各種モードの選択や表示エリアの選択等を行う入力も上述した特定のタッチ入力に限られない。上述したタッチ入力はあくまでも例示であり、種々の変更が可能であるし、タッチ入力に代えて、キーボード入力、音声入力、その他の入力手段を用いても良いことは勿論である。
【産業上の利用可能性】
【０１４０】
以上説明したように、本発明の監視盤表示装置並びに監視盤表示方法によれば、従来のモザイク式監視盤と同じくリアルで臨場感があり、しかも視認性に優れた監視盤画像を、比較的小型のディスプレイを備えるタブレット端末等の携帯端末にコンピューター画像として表示させることができる。本発明によれば、本来は巨大なマルチディスプレイに表示させ、その設置場所に行かなければ見ることができなかった監視盤を、携帯端末上に表示させ、いつでもどこでも監視することが可能となる。本発明の監視盤表示装置並びに監視盤表示方法、及びプログラムは、電力系統はもとより、種々の施設ないしは設備群の監視を必要とする全ての業界にとって極めて有用であり、その産業上の利用可能性は多大である。
【符号の説明】
【０１４１】
１          監視盤表示装置
２          中央処理装置
３          主記憶装置
４          画像データ記憶装置
５          タッチパネル
６          タッチサーバ
７          受信手段
８          二次元画像生成手段
９          エリア枠画像データ生成手段
１０          エリア位置イメージ画像生成手段
１１          異常表示エリア管理情報記憶装置
１２          異常発生位置同定手段
１３          異常発生位置記憶装置
１４          異常発生方向同定手段
１５          オブジェクト生成手段
１６          異常表示画像データ生成手段
【図１】
0006534868.tif 000002
【図２】
0006534868.tif 000003
【図３】
0006534868.tif 000004
【図４】
0006534868.tif 000005
【図５】
0006534868.tif 000006
【図６】
0006534868.tif 000007
【図７】
0006534868.tif 000008
【図８】
0006534868.tif 000009
【図９】
0006534868.tif 000010
【図１０】
0006534868.tif 000011
【図１１】
0006534868.tif 000012
【図１２】
0006534868.tif 000013
【図１３】
0006534868.tif 000014
【図１４】
0006534868.tif 000015
【図１５】
0006534868.tif 000016
【図１６】
0006534868.tif 000017
【図１７】
0006534868.tif 000018
【図１８】
0006534868.tif 000019
【図１９】
0006534868.tif 000020
【図２０】
0006534868.tif 000021
【図２１】
0006534868.tif 000022
【図２２】
0006534868.tif 000023